(57)【特許請求の範囲】
【請求項１】
複数のノードと前記複数のノードを制御する基地局とを含む多重ノードシステムにおける端末の信号を受信する方法であって、前記方法は、
前記基地局から基準パラメータを受信することと、
前記複数のノードのうちの少なくとも一つのノードからノード特定的な信号を受信することと、
前記ノード特定的な信号をデコーディングすることと
を含み、
前記ノード特定的な信号のデコーディングに必要な仮想セルパラメータは、前記基準パラメータに基づいて決定され、
前記ノード特定的な信号は、前記基準パラメータに従属する前記仮想セルパラメータの候補の各々を使用してデコーディングされ、
前記ノード特定的な信号は、前記少なくとも一つのノード及び前記基地局に対するチャネル状態を測定するためのＣＳＩ−ＲＳ（ｃｈａｎｎｅｌ  ｓｔａｔｕｓ  ｉｎｆｏｒｍａｔｉｏｎ  ｒｅｆｅｒｅｎｃｅ  ｓｉｇｎａｌ）であり、
前記仮想セルパラメータは、前記少なくとも一つのノードにより使用される仮想セルＩＤ（ｉｄｅｎｔｉｆｉｅｒ）を含み、前記仮想セルＩＤは、前記基地局により使用されるマザーセルＩＤと一部が同じである、方法。
【請求項２】
前記仮想セルパラメータは、前記ＣＳＩ−ＲＳのＣＳＩ−ＲＳ設定ナンバ及びＣＳＩ−ＲＳサブフレーム設定ナンバを含み、前記ＣＳＩ−ＲＳ設定ナンバは、前記ＣＳＩ−ＲＳがマッピングされるリソース要素のサブフレーム内の位置を指示し、前記ＣＳＩ−ＲＳサブフレーム設定ナンバは、前記ＣＳＩ−ＲＳが送信されるサブフレームを指示する、請求項１に記載の方法。
【請求項３】
前記少なくとも一つのノードのＣＳＩ−ＲＳサブフレーム設定ナンバは、前記基地局のＣＳＩ−ＲＳサブフレーム設定ナンバから特定オフセットだけ異なる固定された値であり、前記少なくとも一つのノードのＣＳＩ−ＲＳ設定ナンバは、前記基地局のＣＳＩ−ＲＳ設定ナンバを前記少なくとも一つのノードのインデックスに基づいて増加させた値である、請求項２に記載の方法。
【請求項４】
前記少なくとも一つのノードのＣＳＩ−ＲＳ周期は、前記基地局のＣＳＩ−ＲＳ周期と同じである、請求項３に記載の方法。
【請求項５】
前記少なくとも一つのノードのＣＳＩ−ＲＳ設定ナンバは、前記基地局のＣＳＩ−ＲＳ設定ナンバと同じであり、前記少なくとも一つのノードのＣＳＩ−ＲＳサブフレーム設定ナンバは、前記基地局のＣＳＩ−ＲＳサブフレーム設定ナンバを前記少なくとも一つのノードのインデックスに基づいて増加させた値である、請求項２に記載の方法。
【請求項６】
前記少なくとも一つのノードのＣＳＩ−ＲＳ周期は、前記基地局のＣＳＩ−ＲＳ周期と同じである、請求項５に記載の方法。
【請求項７】
前記少なくとも一つのノードのＣＳＩ−ＲＳ周期は、前記基地局のＣＳＩ−ＲＳ周期の倍数である、請求項５に記載の方法。
【請求項８】
前記ノード特定的な信号がＣＳＩ−ＲＳである場合、前記ＣＳＩ−ＲＳのアンテナポートナンバは、前記基準パラメータに含まれている前記基地局のアンテナポートナンバを前記少なくとも一つのノードのインデックスに基づいて増加させて使用される、請求項１に記載の方法。
【請求項９】
信号を受信する装置であって、前記装置は、
無線信号を送受信するＲＦ（Ｒａｄｉｏ  Ｆｒｅｑｕｅｎｃｙ）部と、
前記ＲＦ部に連結されるプロセッサと
を含み、
前記プロセッサは、基地局から基準パラメータを受信し、前記基地局により制御される複数のノードのうちの少なくとも一つのノードからノード特定的な信号を受信し、前記ノード特定的な信号をデコーディングし、前記ノード特定的な信号のデコーディングに必要な仮想セルパラメータは、前記基準パラメータに基づいて決定され、前記ノード特定的な信号は、前記基準パラメータに従属する前記仮想セルパラメータの候補の各々を使用してデコーディングされ、前記ノード特定的な信号は、前記少なくとも一つのノード及び前記基地局に対するチャネル状態を測定するためのＣＳＩ−ＲＳ（ｃｈａｎｎｅｌ  ｓｔａｔｕｓ  ｉｎｆｏｒｍａｔｉｏｎ  ｒｅｆｅｒｅｎｃｅ  ｓｉｇｎａｌ）であり、前記仮想セルパラメータは、前記少なくとも一つのノードにより使用される仮想セルＩＤ（ｉｄｅｎｔｉｆｉｅｒ）を含み、前記仮想セルＩＤは、前記基地局により使用されるマザーセルＩＤと一部が同じである、装置。
【発明の詳細な説明】
【技術分野】
【０００１】
本発明は、無線通信に関し、より詳しくは、多重ノードシステムにおいて、端末が各ノードから信号を受信する方法及び装置に関する。
【背景技術】
【０００２】
最近、無線ネットワークのデータ送信量が速く増加している。その理由は、マシンツーマシン（Ｍａｃｈｉｎｅ−ｔｏ−Ｍａｃｈｉｎｅ；Ｍ２Ｍ）通信及び高いデータ送信量を要求するスマートフォン、タブレットＰＣなど、多様なデバイスの出現及び普及のためである。要求される高いデータ送信量を満たすために、より多くの周波数帯域を効率的に使用する搬送波集約（ｃａｒｒｉｅｒ  ａｇｇｒｅｇａｔｉｏｎ；ＣＡ）技術、コグニティブ無線（ｃｏｇｎｉｔｉｖｅ  ｒａｄｉｏ）技術などと、限定された周波数内でデータ容量を高めるために、多重アンテナ技術、多重基地局協力送信技術などが最近浮かび上がっている。
【０００３】
また、無線ネットワークは、ユーザ周辺にアクセスすることができるノード（ｎｏｄｅ）の密度が高まる方向に進化している。ここで、ノードとは、分散アンテナシステム（ｄｉｓｔｒｉｂｕｔｅｄ  ａｎｔｅｎｎａ  ｓｙｓｔｅｍ；ＤＡＳ）から一定間隔以上離れたアンテナ又はアンテナグループを意味するが、このような意味に限定されるものではなく、さらに広い意味で使われることができる。即ち、ノードは、ピコセル基地局（ＰｅＮＢ）、ホーム基地局（ＨｅＮＢ）、ＲＲＨ（ｒｅｍｏｔｅ  ｒａｄｉｏ  ｈｅａｄ）、ＲＲＵ（ｒｅｍｏｔｅ  ｒａｄｉｏ  ｕｎｉｔ）、中継器、分散されたアンテナ（グループ）などになることもできる。端末立場から、端末は、ノードを物理的なノードではなく論理的意味でのノードとして認識することができる。端末は、ノードが送信する参照信号又はパイロット信号に基づいて前記ノードを認識することができる。したがって、参照信号やパイロット信号は、送信される物理的方式に関係なくノードを示すことができる。ノードという用語は、物理的ノードだけでなく、論理的ノードを含む。
【０００４】
高い密度のノードを備えた無線通信システムは、ノード間の協力により高いシステム性能を提供することができる。即ち、各ノードが独立的な基地局（Ｂａｓｅ  Ｓｔａｔｉｏｎ（ＢＳ）、Ａｄｖａｎｃｅｄ  ＢＳ（ＡＢＳ）、Ｎｏｄｅ−Ｂ（ＮＢ）、ｅＮｏｄｅ−Ｂ（ｅＮＢ）、Ａｃｃｅｓｓ  Ｐｏｉｎｔ（ＡＰ）等）として互いに協力せずに動作する場合より、各ノードが一つの制御局により送受信の管理を受けて一つのセルに対するアンテナ又はアンテナグループのように動作すると、優れたシステム性能を獲得することができる。以下、複数のノードを含む無線通信システムを多重ノードシステム（ｍｕｌｔｉ−ｎｏｄｅ  ｓｙｓｔｅｍ）という。
【０００５】
多重ノードシステムにおいて、各ノードが自分のセルＩＤ（ｉｄｅｎｔｉｆｉｅｒ）でスケジューリング（ｓｃｈｅｄｕｌｉｎｇ）及びハンドオーバ（ｈａｎｄｏｖｅｒ）を実行すると、このような多重ノードシステムは、多重セルシステムであると見なされることができる。多重セルシステムにおいて、各セル（即ち、ノード）のカバレッジ（ｃｏｖｅｒａｇｅ）が互いに重なるように（ｏｖｅｒｌａｉｄ）なると、このような多重セルシステムを多重階層ネットワーク（ｍｕｌｔｉ−ｔｉｅｒ  ｎｅｔｗｏｒｋ）という。
【０００６】
多重ノードシステムは、１．各ノードに互いに異なるセルＩＤを付与することで、多重セルシステムとして活用することもでき、２．各ノードに共通のセルＩＤを付与することで、全てのノードが一つのセルとして動作するようにすると共に仮想セル（ｖｉｒｔｕａｌ  ｃｅｌｌ）として動作するようにすることができる。仮想セルとは、レガシー（ｌｅｇａｃｙ）端末には独立的なノードとして認知されないが、改善された（ａｄｖａｎｃｅｄ）端末には独立的なノードとして認知される装置を意味する。例えば、３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）によって動作する端末はレガシー端末であり、ＬＴＥ−Ａ（ａｄｖａｎｃｅｄ）によって動作する端末は改善された端末である。
【０００７】
多重ノードシステムが前記２の方法のように動作する場合、端末が仮想セル特定的（ｖｉｒｔｕａｌ  ｃｅｌｌ  ｓｐｅｃｉｆｉｃ）な信号を受信するためには各仮想セルの送信パラメータ（ｐａｒａｍｅｔｅｒ）を知っていなければならない。仮想セルの送信パラメータを端末に直接的に全部知らせる方法は、シグナリングオーバーヘッド（ｓｉｇｎａｌｉｎｇ  ｏｖｅｒｈｅａｄ）が過度に増加する。
【０００８】
多重ノードシステムにおいて、端末が仮想セル特定的な信号を受信するための方法及び装置が必要である。
【発明の概要】
【発明が解決しようとする課題】
【０００９】
多重ノードシステムにおいて、信号受信方法及び装置を提供しようとする。
【課題を解決するための手段】
【００１０】
本発明の一側面による、複数のノードと前記複数のノードを制御する基地局を含む多重ノードシステムにおける端末の信号受信方法は、前記基地局から基準パラメータを受信し、前記複数のノードのうち少なくとも一つのノードからノード特定的な信号を受信し、前記ノード特定的な信号のデコーディングに必要な仮想セルパラメータは前記基準パラメータに基づいて決定され、前記ノード特定的な信号は、前記複数のノードの各々により区分される信号であることを特徴とする。
【００１１】
前記方法は、前記ノード特定的な信号をデコーディングするステップをさらに含み、前記ノード特定的な信号は、前記基準パラメータに従属する仮想セルパラメータの候補を各々利用してデコーディングする。
【００１２】
前記ノード特定的な信号は、前記少なくとも一つのノードと前記基地局間のチャネル状態を測定するためのＣＳＩ−ＲＳ（ｃｈａｎｎｅｌ  ｓｔａｔｕｓ  ｉｎｆｏｒｍａｔｉｏｎ  ｒｅｆｅｒｅｎｃｅ  ｓｉｇｎａｌ）である。
【００１３】
前記仮想セルパラメータは、前記ＣＳＩ−ＲＳのＣＳＩ−ＲＳ設定ナンバ及びＣＳＩ−ＲＳサブフレーム設定ナンバを含み、前記ＣＳＩ−ＲＳ設定ナンバは、前記ＣＳＩ−ＲＳがマッピングされるリソース要素のサブフレーム内の位置を指示し、前記ＣＳＩ−ＲＳサブフレーム設定ナンバは、前記ＣＳＩ−ＲＳが送信されるサブフレームを指示する。
【００１４】
前記少なくとも一つのノードのＣＳＩ−ＲＳサブフレーム設定ナンバは、前記基地局のＣＳＩ−ＲＳサブフレーム設定ナンバと特定オフセットほど差がある固定された値であり、前記少なくとも一つのノードのＣＳＩ−ＲＳ設定ナンバは、前記基地局のＣＳＩ−ＲＳ設定ナンバを前記少なくとも一つのノードのインデックスに基づいて増加させた値である。
【００１５】
前記少なくとも一つのノードのＣＳＩ−ＲＳ周期は、前記基地局のＣＳＩ−ＲＳ周期と同じである。
【００１６】
前記少なくとも一つのノードのＣＳＩ−ＲＳ設定ナンバは、前記基地局のＣＳＩ−ＲＳ設定ナンバと同じ値であり、前記少なくとも一つのノードのＣＳＩ−ＲＳサブフレーム設定ナンバは、前記基地局のＣＳＩ−ＲＳサブフレーム設定ナンバを前記少なくとも一つのノードのインデックスに基づいて増加させた値である。
【００１７】
前記少なくとも一つのノードのＣＳＩ−ＲＳ周期は、前記基地局のＣＳＩ−ＲＳ周期と同じである。
【００１８】
前記少なくとも一つのノードのＣＳＩ−ＲＳ周期は、前記基地局のＣＳＩ−ＲＳ周期の倍数である。
【００１９】
前記ノード特定的な信号がＣＳＩ−ＲＳである場合、前記ＣＳＩ−ＲＳのアンテナポートナンバは、前記基準パラメータに含まれている前記基地局のアンテナポートナンバを前記少なくとも一つのノードのインデックスに基づいて増加させて使用する。
【００２０】
前記仮想セルパラメータは、前記少なくとも一つのノードが使用する仮想セルＩＤを含み、前記仮想セルＩＤは、前記基地局が使用するマザーセルＩＤと一部が同じである。
【００２１】
本発明の他の側面による信号受信装置は、無線信号を送受信するＲＦ部；及び、前記ＲＦ部に連結されるプロセッサ；を含み、前記プロセッサは、基地局から基準パラメータを受信し、前記基地局により制御される複数のノードのうち少なくとも一つのノードからノード特定的な信号を受信し、前記ノード特定的な信号のデコーディングに必要な仮想セルパラメータは、前記基準パラメータに基づいて決定され、前記ノード特定的な信号は、前記複数のノードの各々により区分される信号であることを特徴とする。
本明細書は、例えば、以下の項目も提供する。
（項目１）
複数のノードと前記複数のノードを制御する基地局を含む多重ノードシステムにおける端末の信号受信方法において、
前記基地局から基準パラメータを受信し、
前記複数のノードのうち少なくとも一つのノードからノード特定的な信号を受信し、
前記ノード特定的な信号のデコーディングに必要な仮想セルパラメータは、前記基準パラメータに基づいて決定されることを特徴とする方法。
（項目２）
前記ノード特定的な信号をデコーディングするステップをさらに含み、前記ノード特定的な信号は、前記基準パラメータに従属する仮想セルパラメータの候補を各々利用してデコーディングすることを特徴とする項目１に記載の方法。
（項目３）
前記ノード特定的な信号は、前記少なくとも一つのノードと前記基地局間のチャネル状態を測定するためのＣＳＩ−ＲＳ（ｃｈａｎｎｅｌ  ｓｔａｔｕｓ  ｉｎｆｏｒｍａｔｉｏｎ  ｒｅｆｅｒｅｎｃｅ  ｓｉｇｎａｌ）であることを特徴とする項目１に記載の方法。
（項目４）
前記仮想セルパラメータは、前記ＣＳＩ−ＲＳのＣＳＩ−ＲＳ設定ナンバ及びＣＳＩ−ＲＳサブフレーム設定ナンバを含み、前記ＣＳＩ−ＲＳ設定ナンバは、前記ＣＳＩ−ＲＳがマッピングされるリソース要素のサブフレーム内の位置を指示し、前記ＣＳＩ−ＲＳサブフレーム設定ナンバは、前記ＣＳＩ−ＲＳが送信されるサブフレームを指示することを特徴とする項目３に記載の方法。
（項目５）
前記少なくとも一つのノードのＣＳＩ−ＲＳサブフレーム設定ナンバは、前記基地局のＣＳＩ−ＲＳサブフレーム設定ナンバと特定オフセットほど差がある固定された値であり、前記少なくとも一つのノードのＣＳＩ−ＲＳ設定ナンバは、前記基地局のＣＳＩ−ＲＳ設定ナンバを前記少なくとも一つのノードのインデックスに基づいて増加させた値であることを特徴とする項目４に記載の方法。
（項目６）
前記少なくとも一つのノードのＣＳＩ−ＲＳ周期は、前記基地局のＣＳＩ−ＲＳ周期と同じであることを特徴とする項目５に記載の方法。
（項目７）
前記少なくとも一つのノードのＣＳＩ−ＲＳ設定ナンバは、前記基地局のＣＳＩ−ＲＳ設定ナンバと同じ値であり、前記少なくとも一つのノードのＣＳＩ−ＲＳサブフレーム設定ナンバは、前記基地局のＣＳＩ−ＲＳサブフレーム設定ナンバを前記少なくとも一つのノードのインデックスに基づいて増加させた値であることを特徴とする項目４に記載の方法。
（項目８）
前記少なくとも一つのノードのＣＳＩ−ＲＳ周期は、前記基地局のＣＳＩ−ＲＳ周期と同じであることを特徴とする項目７に記載の方法。
（項目９）
前記少なくとも一つのノードのＣＳＩ−ＲＳ周期は、前記基地局のＣＳＩ−ＲＳ周期の倍数であることを特徴とする項目７に記載の方法。
（項目１０）
前記ノード特定的な信号がＣＳＩ−ＲＳである場合、前記ＣＳＩ−ＲＳのアンテナポートナンバは、前記基準パラメータに含まれている前記基地局のアンテナポートナンバを前記少なくとも一つのノードのインデックスに基づいて増加させて使用することを特徴とする項目１に記載の方法。
（項目１１）
前記仮想セルパラメータは、前記少なくとも一つのノードが使用する仮想セルＩＤを含み、前記仮想セルＩＤは、前記基地局が使用するマザーセルＩＤと一部が同じであることを特徴とする項目１に記載の方法。
（項目１２）
無線信号を送受信するＲＦ部；及び、
前記ＲＦ部に連結されるプロセッサ；を含み、
前記プロセッサは、基地局から基準パラメータを受信し、前記基地局により制御される複数のノードのうち少なくとも一つのノードからノード特定的な信号を受信し、前記ノード特定的な信号のデコーディングに必要な仮想セルパラメータは、前記基準パラメータに基づいて決定されることを特徴とする信号受信装置。
【発明の効果】
【００２２】
多重ノードシステムにおいて、端末が仮想セル特定的な信号を受信することができる方法及び装置を提供する。本発明によると、仮想セルの送信パラメータは、マザーセルの送信パラメータに従属的に決められた関係により知ることができる。したがって、端末は、マザーセルの送信パラメータを知るようになると、仮想セル特定的な信号を受信することができる。その結果、多重ノードシステムにおいて、仮想セルの送信パラメータを知らせるためのシグナリングオーバーヘッドが減り、端末が仮想セルの送信パラメータをブラインド検出する必要がないため、電力消耗を減らすことができる。
【図面の簡単な説明】
【００２３】
【図１】多重ノードシステムの例を示す。
【図２】多重ノードシステムの一例として分散アンテナシステムを示す。
【図３】３ＧＰＰ  ＬＴＥでＦＤＤ（Ｆｒｅｑｕｅｎｃｙ  Ｄｉｖｉｓｉｏｎ  Ｄｕｐｌｅｘ）無線フレームの構造を示す。
【図４】３ＧＰＰ  ＬＴＥでＴＤＤ（Ｔｉｍｅ  Ｄｉｖｉｓｉｏｎ  Ｄｕｐｌｅｘ）無線フレーム（ｒａｄｉｏ  ｆｒａｍｅ）構造を示す。
【図５】一つのダウンリンクスロットに対するリソースグリッド（ｒｅｓｏｕｒｃｅ  ｇｒｉｄ）を示す例示図である。
【図６】ダウンリンクサブフレーム構造の一例を示す。
【図７】ノーマルＣＰでＣＲＳのマッピングを示す。
【図８】拡張ＣＰでＣＲＳのマッピングを示す。
【図９】ノーマルＣＰでＣＳＩ設定０に対するＣＳＩ−ＲＳのマッピングを示す。
【図１０】拡張ＣＰでＣＳＩ設定０に対するＣＳＩ−ＲＳのマッピングを示す。
【図１１】仮想セルを含む多重ノードシステムを示す。
【図１２】本発明の一実施例による、端末が仮想セルの信号を受信する方法を示す。
【図１３】及び
【図１４】ＬＴＥでＣＳＩ−ＲＳが送信されることができる全てのリソース要素の位置を２個の連続するリソースブロック上に表示したものである。
【図１５】方法１を例示した図面である。
【図１６】方法２を例示した図面である。
【図１７】方法３を例示した図面である。
【図１８】方法４を例示した図面である。
【図１９】方法５を例示した図面である。
【図２０】基地局及び端末を示すブロック図である。
【発明を実施するための形態】
【００２４】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）などのような多様な多重接続方式（ｍｕｌｔｉｐｌｅ  ａｃｃｅｓｓ  ｓｃｈｅｍｅ）に使われることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術で具現されることができる。ＯＦＤＭＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１（Ｗｉ−Ｆｉ）、ＩＥＥＥ８０２．１６（ＷｉＭＡＸ）、ＩＥＥＥ８０２．２０、Ｅ−ＵＴＲＡ（Ｅｖｏｌｖｅｄ  ＵＴＲＡ）などのような無線技術で具現されることができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）は、Ｅ−ＵＴＲＡを使用するＥ−ＵＭＴＳ（Ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（Ａｄｖａｎｃｅｄ）は、ＬＴＥの進化である。ＩＥＥＥ８０２．１６ｍは、ＩＥＥＥ８０２．１６ｅの進化である。
【００２５】
図１は、多重ノードシステムの例を示す。
【００２６】
図１を参照すると、多重ノードシステムは、基地局及び複数のノードを含む。
【００２７】
図１において、アンテナノードで表示されたノードは、マクロ基地局、ピコセル基地局（ＰｅＮＢ）、ホーム基地局（ＨｅＮＢ）、ＲＲＨ（ｒｅｍｏｔｅ  ｒａｄｉｏ  ｈｅａｄ）、中継器、分散されたアンテナ（グループ）などを意味する。このようなノードは、ポイント（ｐｏｉｎｔ）と呼ばれることもある。
【００２８】
多重ノードシステムにおいて、全てのノードが一つの基地局コントローラにより送受信の管理を受けて個別ノードが一つのセルの一部のように動作すると、このシステムは、一つのセルを形成する分散アンテナシステム（ｄｉｓｔｒｉｂｕｔｅｄ  ａｎｔｅｎｎａ  ｓｙｓｔｅｍ；ＤＡＳ）であると見なされることができる。分散アンテナシステムにおいて、個別ノードは別途のノードＩＤの付与を受けることもでき、別途のノードＩＤなしにセル内の一部アンテナ集団のように動作することもできる。即ち、分散アンテナシステム（ｄｉｓｔｒｉｂｕｔｅｄ  ａｎｔｅｎｎａ  ｓｙｓｔｅｍ；ＤＡＳ）は、アンテナ（即ち、ノード）が地理的領域内の多様な位置に分散されて配置され、このようなアンテナを基地局が管理するシステムを意味する。分散アンテナシステムは、従来の集中アンテナシステム（Ｃｅｎｔｒａｌｉｚｅｄ  ａｎｔｅｎｎａ  ｓｙｓｔｅｍ；ＣＡＳ）において、基地局のアンテナがセル中央に集中して配置される点が異なる。
【００２９】
多重ノードシステムにおいて、個別ノードが個別的なセルＩＤを有し、スケジューリング及びハンドオーバを実行すると、これは多重セル（例えば、マクロセル／フェムトセル／ピコセル）システムと見なされることができる。このような多重セルがカバレッジによって重なる形態で構成されるものを多重階層ネットワーク（ｍｕｌｔｉ−ｔｉｅｒ  ｎｅｔｗｏｒｋ）という。
【００３０】
図２は、多重ノードシステムの一例として分散アンテナシステムを示す。
【００３１】
図２を参照すると、分散アンテナシステム（ｄｉｓｔｒｉｂｕｔｅｄ  ａｎｔｅｎｎａ  ｓｙｓｔｅｍ；ＤＡＳ）は、基地局（ＢＳ）と複数の基地局アンテナ（例えば、ａｎｔ１乃至ａｎｔ８、以下、基地局アンテナをアンテナと略称する）で構成される。アンテナ（ａｎｔ１乃至ａｎｔ８）は、基地局（ＢＳ）と有線で連結されることができる。分散アンテナシステムは、従来の集中アンテナシステム（ｃｅｎｔｒａｌｉｚｅｄ  ａｎｔｅｎｎａｌ  ｓｙｓｔｅｍ；ＣＡＳ）と違って、アンテナがセル１５ａの特定地点、例えば、セルの中央に集中されておらず、セル内の多様な位置に分散されて配置される。ここで、アンテナは、図２に示すように、セル内の離隔された各場所に一つのアンテナが存在することもでき（アンテナ１乃至アンテナ４、アンテナ６乃至アンテナ８）、アンテナ５のように複数個のアンテナ（１１１−１、１１１−２、１１１−３）が密集されて存在する形態で分布することもできる。密集されて存在するアンテナは、一つのアンテナノード（ａｎｔｅｎｎａ  ｎｏｄｅ）を構成することができる。
【００３２】
アンテナのアンテナカバレッジ（ｃｏｖｅｒａｇｅ）がオーバーラップ（ｏｖｅｒｌａｐ）されてランク（ｒａｎｋ）２以上の送信が可能に分布することができる。例えば、各アンテナのアンテナカバレッジが隣接したアンテナまで及ぼすことができる。この場合、セル内に存在する端末は、セル内の位置、チャネル状態などによって、複数のアンテナから受信する信号の強度が多様に変更されることができる。図２の例を参照すると、端末１（ＵＥ１）は、アンテナ１、２、５、６から受信感度が良い信号を受信することができる。反面、アンテナ３、４、７、８から送信される信号は、経路損失（ｐａｔｈｌｏｓｓ）により端末１に及ぼす影響が極めて少ない。
【００３３】
端末２（ＵＥ２）は、アンテナ６、７から受信感度が良い信号を受信することができ、残りのアンテナから送信される信号は影響が極めて少ない。同様に、端末３（ＵＥ３）の場合、アンテナ３からのみ受信感度が良い信号を受信することができ、残りのアンテナの信号は無視できるほど強度が弱い。
【００３４】
分散アンテナシステムではセル内で相互間に離隔された端末に対してＭＩＭＯ通信を実行することが容易である。前記例において、端末１にはアンテナ１、２、５、６を介して通信を実行し、端末２にはアンテナ７、端末３にはアンテナ３を介して通信を実行することができる。アンテナ４、８は、端末２又は端末３のための信号を送信してもよく、何らの信号を送信しなくてもよい。即ち、アンテナ４、８は、場合によって、オフ状態で運用することもできる。
【００３５】
前述したように、分散アンテナシステムでＭＩＭＯ通信を実行する場合、各端末当たりレイヤ（ｌａｙｅｒ）（即ち、送信ストリームの数）が多様に存在することができる。また、各端末に割り当てられるアンテナ（又は、アンテナグループ）が互いに異なることもある。即ち、分散アンテナシステムでは、各端末に対してシステム内の全てのアンテナのうち特定アンテナ（又は、特定アンテナグループ）をサポートすることができる。端末にサポートするアンテナは、時間によって変更されることができる。
【００３６】
図３は、３ＧＰＰ  ＬＴＥでＦＤＤ（Ｆｒｅｑｕｅｎｃｙ  Ｄｉｖｉｓｉｏｎ  Ｄｕｐｌｅｘ）無線フレームの構造を示す。このような無線フレーム構造をフレーム構造タイプ１という。
【００３７】
図３を参照すると、無線フレーム（ｒａｄｉｏ  ｆｒａｍｅ）は１０個のサブフレーム（ｓｕｂｆｒａｍｅ）で構成され、一つのサブフレームは２個の連続するスロット（ｓｌｏｔ）として定義される。一つのサブフレームの送信にかかる時間をＴＴＩ（ｔｒａｎｓｍｉｓｓｉｏｎ  ｔｉｍｅ  ｉｎｔｅｒｖａｌ）という。無線フレームの時間長さＴｆ＝３０７２００＊Ｔｓ＝１０ｍｓであり、２０個のスロットで構成される。スロットの時間長さＴｓｌｏｔ＝１５３６０＊Ｔｓ＝０．５ｍｓであり、０〜１９でナンバリングされる。各ノード又は基地局が端末に信号を送信するダウンリンクと、端末が各ノード又は基地局に信号を送信するアップリンクとは、周波数領域で区分される。
【００３８】
図４は、３ＧＰＰ  ＬＴＥでＴＤＤ（Ｔｉｍｅ  Ｄｉｖｉｓｉｏｎ  Ｄｕｐｌｅｘ）無線フレーム（ｒａｄｉｏ  ｆｒａｍｅ）構造を示す。このような無線フレーム構造をフレーム構造タイプ２という。
【００３９】
図４を参照すると、一つの無線フレームは１０ｍｓの長さを有し、５ｍｓの長さを有する二つの半分フレーム（ｈａｌｆ−ｆｒａｍｅ）で構成される。また、一つの半フレームは１ｍｓの長さを有する５個のサブフレームで構成される。一つのサブフレームは、アップリンクサブフレーム（ＵＬ  ｓｕｂｆｒａｍｅ）、ダウンリンクサブフレーム（ＤＬ  ｓｕｂｆｒａｍｅ）、特殊サブフレーム（ｓｐｅｃｉａｌ  ｓｕｂｆｒａｍｅ）のうちいずれか一つとして指定される。一つの無線フレームは、少なくとも一つのアップリンクサブフレームと少なくとも一つのダウンリンクサブフレームを含む。一つのサブフレームは、２個の連続するスロット（ｓｌｏｔ）として定義される。例えば、一つのサブフレームの長さは１ｍｓで、一つのスロットの長さは０．５ｍｓである。
【００４０】
特殊サブフレームは、アップリンクサブフレームとダウンリンクサブフレームとの間でアップリンク及びダウンリンクを分離させる特定区間（ｐｅｒｉｏｄ）である。一つの無線フレームには少なくとも一つの特殊サブフレームが存在し、特殊サブフレームは、ＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）を含む。ＤｗＰＴＳは、初期セル探索、同期化又はチャネル推定に使われる。ＵｐＰＴＳは、基地局でのチャネル推定と端末のアップリンク送信同期を合わせるときに使われる。保護区間は、アップリンクとダウンリンクとの間にダウンリンク信号の多重経路遅延によりアップリンクで発生する干渉を除去するための区間である。
【００４１】
ＦＤＤ及びＴＤＤ無線フレームで、一つのスロットは、時間領域（ｔｉｍｅ  ｄｏｍａｉｎ）で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域で複数のリソースブロック（ｒｅｓｏｕｒｃｅ  ｂｌｏｃｋ；ＲＢ）を含む。ＯＦＤＭシンボルは、３ＧＰＰ  ＬＴＥがダウンリンクでＯＦＤＭＡを使用するため、一つのシンボル区間（ｓｙｍｂｏｌ  ｐｅｒｉｏｄ）を表現するためのものであり、多重接続方式によってＳＣ−ＦＤＭＡシンボルのように他の用語と呼ばれることもある。リソースブロックは、リソース割当単位であり、一つのスロットで複数の連続する副搬送波を含む。
【００４２】
図３及び図４を参照して説明した無線フレームの構造は、３ＧＰＰ  ＴＳ  ３６．２１１  Ｖ８．３．０（２００８−０５）“Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ（Ｒｅｌｅａｓｅ  ８）”の４．１節及び４．２節を参照することができる。
【００４３】
無線フレームの構造は、例示に過ぎず、無線フレームに含まれるサブフレームの数又はサブフレームに含まれるスロットの数、スロットに含まれるＯＦＤＭシンボルの数は、多様に変更されることができる。
【００４４】
図５は、一つのダウンリンクスロットに対するリソースグリッド（ｒｅｓｏｕｒｃｅ  ｇｒｉｄ）を示す例示図である。
【００４５】
図５を参照すると、一つのダウンリンクスロットは、時間領域（ｔｉｍｅ  ｄｏｍａｉｎ）で複数のＯＦＤＭシンボルを含む。ここで、一つのダウンリンクスロットは、７ＯＦＤＭＡシンボルを含み、一つのリソースブロック（ＲＢ）は、周波数領域で１２副搬送波（ｓｕｂｃａｒｒｉｅｒ）を含むことを例示的に記述するが、これに制限されるものではない。
【００４６】
リソースグリッド上の各要素（ｅｌｅｍｅｎｔ）をリソース要素（ｒｅｓｏｕｒｃｅ  ｅｌｅｍｅｎｔ）といい、一つのリソースブロック（ＲＢ）は１２×７個のリソース要素を含む。ダウンリンクスロットに含まれるリソースブロックの数ＮＤＬはセルで設定されるダウンリンク送信帯域幅（ｂａｎｄｗｉｄｔｈ）に従属する。前述したダウンリンクスロットに対するリソースグリッドは、アップリンクスロットにも適用されることができる。
【００４７】
図６は、ダウンリンクサブフレーム構造の一例を示す。
【００４８】
図６を参照すると、サブフレームは、連続する２個のスロットを含む。サブフレーム内の第１のスロットの前方部の最大３ＯＦＤＭシンボルは、ダウンリンク制御チャネルが割り当てられる制御領域（ｃｏｎｔｒｏｌ  ｒｅｇｉｏｎ）であり、残りのＯＦＤＭシンボルは、ＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域になることができる。
【００４９】
ダウンリンク制御チャネルには、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などが含まれる。サブフレームの第１のＯＦＤＭシンボルで送信されるＰＣＦＩＣＨは、サブフレーム内で制御チャネルの送信に使われるＯＦＤＭシンボルの数（即ち、制御領域の大きさ）に対する情報を送信する。ＰＤＣＣＨを介して送信される制御情報をダウンリンク制御情報（ｄｏｗｎｌｉｎｋ  ｃｏｎｔｒｏｌ  ｉｎｆｏｒｍａｔｉｏｎ；ＤＣＩ）という。ＤＣＩは、アップリンクリソース割当情報、ダウンリンクリソース割当情報及び任意のＵＥグループに対するアップリンク送信パワー制御命令（Ｔｒａｎｓｍｉｔ  Ｐｏｗｅｒ  Ｃｏｎｔｒｏｌ  Ｃｏｍｍａｎｄ）などを意味する。ＰＨＩＣＨは、アップリンクデータのＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｏｔ−Ａｃｋｎｏｗｌｅｄｇｅｍｅｎｔ）信号を伝送する。即ち、端末が送信したアップリンクデータに対するＡＣＫ／ＮＡＣＫ信号は、ＰＨＩＣＨ上に送信される。
【００５０】
ＰＤＳＣＨは、制御情報及び／又はデータが送信されるチャネルである。端末は、ＰＤＣＣＨを介して送信されるダウンリンク制御情報をデコーディングしてＰＤＳＣＨを介して送信されるデータを読み込むことができる。
【００５１】
以下、多重ノードシステムにおける参照信号送信方法に対して説明する。まず、説明の便宜のために、既存基地局の参照信号送信方法に対して説明する。ＬＴＥ  Ｒｅｌ−８では、チャネル測定とＰＤＳＣＨに対するチャネル推定のためにＣＲＳ（ｃｅｌｌ  ｓｐｅｃｉｆｉｃ  ｒｅｆｅｒｅｎｃｅ  ｓｉｇｎａｌ）を使用する。
【００５２】
図７は、ノーマルＣＰでＣＲＳのマッピングを示す。図８は、拡張ＣＰでＣＲＳのマッピングを示す。
【００５３】
図７及び図８を参照すると、複数のアンテナを使用する多重アンテナ送信の場合、各アンテナ毎にリソースグリッドが存在し、各アンテナのための少なくとも一つの参照信号が各々のリソースグリッドにマッピングされることができる。各アンテナ別参照信号は、参照シンボルで構成される。Ｒｐは、アンテナポートｐの参照シンボルを示す（ｐ∈｛０，１，２，３｝）。Ｒ０乃至Ｒ３は、互いに重複するリソース要素にマッピングされない。
【００５４】
一つのＯＦＤＭシンボルで各Ｒｐは６副搬送波間隔に位置することができる。サブフレーム内のＲ０の数とＲ１の数は同じであり、Ｒ２の数とＲ３の数は同じである。サブフレーム内のＲ２、Ｒ３の数はＲ０、Ｒ１の数より少ない。Ｒｐは、アンテナポートｐを除いた他のアンテナポートを介してはどんな送信にも使われない。
【００５５】
ＬＴＥ−Ａでは、チャネル測定、ＰＤＳＣＨに対するチャネル推定のために、ＣＲＳと別途にＣＳＩ−ＲＳ（ｃｈａｎｎｅｌ  ｓｔａｔｕｓ  ｉｎｆｏｒｍａｔｉｏｎ  ｒｅｆｅｒｅｎｃｅ  ｓｉｇｎａｌ）が使われることができる。以下、ＣＳＩ−ＲＳに対して説明する。
【００５６】
ＣＳＩ−ＲＳは、ＣＲＳと違って、異種ネットワーク環境を含む多重セル環境でセル間干渉（ｉｎｔｅｒ−ｃｅｌｌ  ｉｎｔｅｒｆｅｒｅｎｃｅ；ＩＣＩ）を減らすために最大３２個の互いに異なる設定が存在する。
【００５７】
ＣＳＩ−ＲＳに対する設定は、セル内のアンテナポート数によって互いに異なり、隣接セル間に最大限互いに異なる設定になるように与えられる。ＣＳＩ−ＲＳは、ＣＰタイプによって区分され、フレーム構造タイプ（フレーム構造タイプ１はＦＤＤ、フレーム構造タイプ２はＴＤＤ）によって、フレーム構造タイプ１、フレーム構造タイプ２の両方ともに適用される設定と、フレーム構造タイプ２にのみ適用される設定とに区分される。
【００５８】
ＣＳＩ−ＲＳは、ＣＲＳと違って、最大８アンテナポートまでサポートし、アンテナポートｐは、｛１５｝、｛１５，１６｝、｛１５，１６，１７，１８｝、｛１５，．．．，２２｝がサポートされる。即ち、１個、２個、４個、８個のアンテナポートをサポートする。副搬送波間の間隔Δｆは、１５ｋＨｚに対してのみ定義される。
【００５９】
ＣＳＩ−ＲＳに対する参照信号シーケンスｒｌ，ｎｓ（ｍ）は、以下の数式のように生成される。
【００６０】
【数１】
0005698384.tif 000002
【００６１】
前記数式１において、ｎｓは無線フレーム内でスロットナンバであり、ｌはスロット内でのＯＦＤＭシンボルナンバである。ｃ（ｉ）は疑似ランダムシーケンス（ｐｓｅｕｄｏ  ｒａｎｄｏｍ  ｓｅｑｕｅｎｃｅ）であり、各ＯＦＤＭシンボルでｃｉｎｉｔから始まる。ＮＩＤｃｅｌｌは物理階層セルＩＤを意味する。
【００６２】
ＣＳＩ−ＲＳを送信するように設定されたサブフレームで、参照信号シーケンスｒｌ，ｎｓ（ｍ）は、アンテナポートｐに対する参照シンボルとして使われる複素値変調シンボルａｋ，ｌ（ｐ）にマッピングされる。
【００６３】
ｒｌ，ｎｓ（ｍ）とａｋ，ｌ（ｐ）の関係は、以下の数式の通りである。
【００６４】
【数２】
0005698384.tif 000003
【００６５】
前記数式２において、（ｋ′，ｌ′）とｎｓは、後述する表１及び表２で与えられる。ＣＳＩ−ＲＳは（ｎｓ  ｍｏｄ２）が後述する表１及び表２の条件を満たすダウンリンクスロットで送信されることができる（ｍｏｄは、モジュラー演算を意味する。即ち、ｎｓを２で割った残りを意味する）。
【００６６】
以下の表は、ノーマルＣＰに対するＣＳＩ−ＲＳ設定を示す。
【００６７】
【表１】
0005698384.tif 000004
【００６８】
以下の表は、拡張ＣＰに対するＣＳＩ−ＲＳ設定を示す。
【００６９】
【表２】
0005698384.tif 000005
【００７０】
また、ＣＳＩ−ＲＳは、以下の表３の条件を満たすサブフレームで送信されることができる。
【００７１】
即ち、ＣＳＩ−ＲＳを含むサブフレームは、以下の数式を満たさなければならない。
【００７２】
【数３】
0005698384.tif 000006
【００７３】
数式３において、ＴＣＳＩ−ＲＳは、ＣＳＩ−ＲＳのセル特定的な周期（ｐｅｒｉｏｄ）を示す。ΔＣＳＩ−ＲＳは、ＣＳＩ−ＲＳのセル特定的サブフレームオフセットを示す。ｎｆは、システムフレームナンバを示す。
【００７４】
以下の表３は、ＣＳＩ−ＲＳの周期及び送信時点と関連したＣＳＩ−ＲＳサブフレーム設定を示す。
【００７５】
【表３】
0005698384.tif 000007
【００７６】
前記表３において、‘ＣＳＩ−ＲＳ−ＳｕｂｆｒａｍｅＣｏｎｆｉｇ’、即ち、ＩＣＳＩ−ＲＳは、上位階層により与えられる値であり、ＣＳＩ−ＲＳサブフレーム設定ナンバを示す。即ち、ＣＳＩ−ＲＳは、ＣＳＩ−ＲＳサブフレーム設定ナンバによって、ＣＳＩ−ＲＳ周期（ＴＣＳＩ−ＲＳ）とＣＳＩ−ＲＳサブフレームオフセット（ΔＣＳＩ−ＲＳ）が決定される。ＣＳＩ−ＲＳは、ＣＱＩ／ＣＳＩフィードバックによって、五つのＣＳＩ−ＲＳ周期をサポートし、各セルで互いに異なるＣＳＩ−ＲＳサブフレームオフセットを有して送信されることができる。
【００７７】
図９は、ノーマルＣＰでＣＳＩ設定ナンバ０に対するＣＳＩ−ＲＳのマッピングを示し、図１０は、拡張ＣＰでＣＳＩ設定ナンバ０に対するＣＳＩ−ＲＳのマッピングを示す。
【００７８】
図９及び図１０を参照すると、２個のアンテナポート、例えば、ｐ＝｛１５，１６｝、｛１７，１８｝、｛１９，２０｝、｛２１，２２｝に対して連続する２個の同じリソース要素を使用してＣＳＩ−ＲＳを送信し、互いに異なるＯＣＣ（ｏｒｔｈｏｇｏｎａｌ  ｃｏｖｅｒ  ｃｏｄｅ）を使用して送信する。即ち、２個のアンテナポートに対して同じリソース要素を利用してＣＳＩ−ＲＳを送信し、各アンテナポートに対するＣＳＩ−ＲＳは、ＯＣＣを介して区分される。
【００７９】
複数のＣＳＩ−ＲＳ設定が与えられたセルで使用可能であり、端末がノンゼロ（ｎｏｎ−ｚｅｒｏ）送信電力を仮定する一つのＣＳＩ−ＲＳ設定と端末がゼロ（ｚｅｒｏ）送信電力を仮定するＣＳＩ−ＲＳ設定とを一つ以上又はないように設定することができる。
【００８０】
ＣＳＩ−ＲＳは、以下の場合に送信されない。
【００８１】
１．フレーム構造タイプ２の特別サブフレーム（ｓｐｅｃｉａｌ  ｓｕｂｆｒａｍｅ）。
【００８２】
２．同期化信号、ＰＢＣＨ（ｐｈｙｓｉｃａｌ  ｂｒｏａｄｃａｓｔ  ｃｈａｎｎｅｌ）、ＳＩＢ（ｓｙｓｔｅｍ  ｉｎｆｏｒｍａｔｉｏｎ  ｂｌｏｃｋ）と衝突される場合。
【００８３】
３．ページングメッセージ（ｐａｇｉｎｇ  ｍｅｓｓａｇｅ）が送信されるサブフレーム。
【００８４】
集合Ｓの任意のアンテナポートに対するＣＳＩ−ＲＳの送信に使われるリソース要素（ｋ，ｌ）は、同じスロットで任意のアンテナポートに対するＰＤＳＣＨの送信に使われない。ここで、集合Ｓに含まれるアンテナポートは、｛１５，１６｝、｛１７，１８｝、｛１９，２０｝、｛２１，２２｝である。また、前記リソース要素（ｋ，ｌ）は、同じスロットで前記集合Ｓに含まれているアンテナポートを除いた他の任意のアンテナポートに対するＣＳＩ−ＲＳ送信に使われない。
【００８５】
このようなＣＳＩ−ＲＳの送信に必要なパラメータは、１．ＣＳＩ−ＲＳポート数（ｎｕｍｂｅｒ  ｏｆ  ＣＳＩ−ＲＳ  ｐｏｒｔｓ）、２．ＣＳＩ−ＲＳ設定を示すＣＳＩ−ＲＳ設定ナンバ（ＣＳＩ−ＲＳ  ｃｏｎｆｉｇｕｒａｔｉｏｎ  ｎｕｍｂｅｒ）、３．ＣＳＩ−ＲＳの送信周期及び時点を指示するＣＳＩ−ＲＳサブフレーム設定ナンバ（ＩＣＳＩ−ＲＳ）などであり、このようなパラメータは、セル又は端末特定的であり、上位階層（ｈｉｇｈｅｒ  ｌａｙｅｒ）シグナリングを介して与えられることができる。前述したＣＲＳ、ＣＳＩ−ＲＳのような参照信号は、多重ノードシステムで端末が各ノードを識別することができるように適用されることができる。
【００８６】
以下、仮想セルを含む多重ノードシステムで端末が仮想セルから信号を受信する方法及び装置に対して説明する。
【００８７】
図１１は、仮想セルを含む多重ノードシステムを示す。
【００８８】
図１１を参照すると、多重ノードシステムは、一つの基地局（図示せず）に連結された複数のノード（１１１乃至１１６）が存在する。複数のノードは分散されて配置される。ノードの例は、ＲＲＨ（ｒｅｍｏｔｅ  ｒａｄｉｏ  ｈｅａｄ）、ＲＲＵ（ｒｅｍｏｔｅ  ｒａｄｉｏ  ｕｎｉｔ）、アクセスポイント、アンテナ、アンテナノード、アンテナグループなどである。多重ノードシステムを効率的に運用するためには、複数のノードが一つのセルとして動作する同時に、仮想セル（ｖｉｒｔｕａｌ  ｃｅｌｌ）として動作することが好ましい。
【００８９】
ここで、仮想セルとは、レガシー端末（ｌｅｇａｃｙ  ＵＥ）には独立的なセル又はアンテナとして認識されないが、改善された端末（ａｄｖａｎｃｅｄ  ＵＥ）には独立的なセル又はアンテナとして認識されるセルを意味する。例えば、３ＧＰＰ  ＬＴＥによって動作する端末は、レガシー端末であり、ＬＴＥ−Ａによって動作する端末は、改善された端末である。レガシー端末が認識するセルをマザーセル（ｍｏｔｈｅｒ  ｃｅｌｌ）という。図１１において、セルＡ（Ｃｅｌｌ  Ａ）がマザーセルである。マザーセルは、基地局がサポートするセルである。改善された端末は、マザーセル及び仮想セルの両方ともを認識することができる。
【００９０】
仮想セルとして動作するノードは、マザーセルのセルＩＤに基づいた同期化信号（ｓｙｎｃｈｒｏｎｉｚａｔｉｏｎ  ｓｉｇｎａｌ；ＳＳ）を送信する。また、仮想セルとして動作するノードは、改善された端末が認知することができる仮想セル特定的信号を送信する。仮想セル特定的信号は、例えば、パイロット信号（例えば、ＣＳＩ−ＲＳ、又はＰＲＳ（ｐｏｓｉｔｉｏｎｉｎｇ  ｒｅｆｅｒｅｎｃｅ  ｓｉｇｎａｌ）等）やレガシー端末が認知することができない新たな同期化信号である。
【００９１】
改善された端末は、仮想セルをＣｏＭＰ（Ｃｏｏｒｄｉｎａｔｅｄ  Ｍｕｌｔｉ−Ｐｏｉｎｔ）、ｅＩＣＩＣ（ｅｎｈａｎｃｅｄ  Ｉｎｔｅｒ−Ｃｅｌｌ  Ｉｎｔｅｒｆｅｒｅｎｃｅ  Ｃｏｏｒｄｉｎａｔｉｏｎ）などのようなセル間協力通信での協力セルとして認識したり、アンテナ間協力送信、即ち、ＭＩＭＯ（Ｍｕｌｔｉ  Ｉｎｐｕｔ  Ｍｕｌｔｉ  Ｏｕｔｐｕｔ）送信を実行するセル内のアンテナ（ポート）として認識することができる。
【００９２】
仮想セルを含む多重ノードシステムは、セルの中心に高い送信電力を有するノードがセル全体をカバーするマザーセルを形成し、マザーセル内で低い送信電力を有するノードが仮想セルを形成する形態で具現されることができる。または、セル内の全てのノードが同じ信号を送信する方式に一つのマザーセルを形成し、マザーセル内の低い送信電力を有するノードが仮想セルを形成する形態で具現されることもできる。または、低い送信電力を有するノードが各々一つの仮想セルを形成し、隣接した複数のノードが共に一つの仮想セルを形成することもできる。
【００９３】
以下、仮想セルを含む多重ノードシステムを仮想セルシステムという。仮想セルシステムで改善された端末が仮想セル特定的信号を認識するためにはマザーセル内の仮想セルの特性を知っていることが好ましい。もし、改善された端末が仮想セルの特性を全く知らない場合、端末は、仮想セル特定的信号に対する全てのパラメータに対してブラインド検出を実行しなければならない。ブラインド検出とは、各送信パラメータを特定値と仮定し、デコーディングを実行した後、エラーが検出されないと、正確にデコーディングされたと判断することを意味する。したがって、ブラインド検出は、端末に高い計算能力を要求し、電力消耗を増加させる。
【００９４】
仮想セル特定的信号に対するパラメータは、仮想セル特定的信号が使用するセルＩＤ、アンテナポートの個数、アンテナポートナンバ、参照信号設定ナンバ、参照信号サブフレーム設定ナンバなど、多様である。端末がこのような多様なパラメータに対するブラインド検出を実行することは、電力消耗を増加させるため、好ましくない。
【００９５】
このような問題を解決するために、基地局は、改善された端末にマザーセル内の仮想セル特定的な信号に対するパラメータ情報を全部知らせることができる。即ち、マザーセルは、端末に仮想セルに対するセルＩＤ、アンテナポートの個数、アンテナポートナンバ、参照信号設定ナンバ、参照信号サブフレーム設定ナンバのようなパラメータを知らせることができる。
【００９６】
仮想セル特定的なパラメータは、例えば、ＲＲＣ（ｒａｄｉｏ  ｒｅｓｏｕｒｃｅ  ｃｏｎｔｒｏｌ）メッセージのような上位階層信号を介して送信されることができる。即ち、仮想セル特定的なパラメータは、ＲＲＣの新たなＩＥ（ｉｎｆｏｒｍａｔｉｏｎ  ｅｌｅｍｅｎｔ）と定義して知らせたり、既存ＩＥに含んで知らせることができる。例えば、ＬＴＥでは、仮想セルのセルＩＤを隣接セルリスト（ｎｅｉｇｈｂｏｕｒ  ｃｅｌｌ  ｌｉｓｔ）に含んで知らせ、‘ＮｅｉｇｈＣｅｌｌＣｏｎｆｉｇ  ＩＥ’に仮想セルに対するＣＳＩ−ＲＳ設定ナンバ、アンテナポートの個数などの情報を追加して送信することができる。または、仮想セル特定的なパラメータのうち一部を‘ＣＳＩ−ＲＳ−Ｃｏｎｆｉｇ  ＩＥ’に含んで端末に知らせることができる。
【００９７】
以下の表は、ＣＳＩ−ＲＳ−Ｃｏｎｆｉｇ  ＩＥの一例である。
【００９８】
【表４】
0005698384.tif 000008
【００９９】
前記表４において、‘ａｎｔｅｎｎａＰｏｒｔｓＣｏｕｎｔ’は、ＣＳＩ−ＲＳの送信に使われるアンテナポートの個数を示す。‘ｒｅｓｏｕｒｃｅＣｏｎｆｉｇ’は、ＣＳＩ−ＲＳ設定を示すパラメータであり、‘ｓｕｂｆｒａｍｅＣｏｎｆｉｇ’は、ＩＣＳＩ−ＲＳを指示する。‘ｚｅｒｏＴｘＰｏｗｅｒＲｅｓｏｕｒｃｅＣｏｎｆｉｇＬｉｓｔ’及び‘ｚｅｒｏＴｘＰｏｗｅｒＳｕｂｆｒａｍｅＣｏｎｆｉｇ’は、零送信電力を有するＣＳＩ−ＲＳの設定に関連したパラメータである。このようなＣＳＩ−ＲＳ−Ｃｏｎｆｉｇ  ＩＥに仮想セル特定的なパラメータを含んで送信することができる。例えば、総‘ａｎｔｅｎｎａＰｏｒｔｓＣｏｕｎｔ’個のＣＳＩ−ＲＳポートを特定数の仮想セルで特定方式により分けて送信することに対する情報を‘ＣＳＩ−ＲＳ−Ｃｏｎｆｉｇ  ＩＥ’に含むことができる。即ち、同じＣＳＩ−ＲＳ設定を分けて使用する仮想セルの数及び／又は仮想セルとＣＳＩ−ＲＳポートナンバとの間のマッピング情報を含むことができる。
【０１００】
前述したように、マザーセルが仮想セル特定的信号に対するパラメータ、即ち、設定情報を端末に全部知らせる場合、仮想セルが複数存在し、又は追加しなければならないパラメータ数が多い場合、シグナリングオーバーヘッド（ｓｉｇｎａｌｉｎｇ  ｏｖｅｒｈｅａｄ）が過度に増加することができる。
【０１０１】
また、端末は、仮想セル特定的信号に対するＬ２及び／又はＬ３測定値（例えば、ＣＱＩ（ｃｈａｎｎｅｌ  ｑｕａｌｉｔｙ  ｉｎｄｉｃａｔｏｒ）、ＲＳＲＰ（ｒｅｆｅｒｅｎｃｅ  ｓｉｇｎａｌ  ｒｅｃｅｉｖｅｄ  ｐｏｗｅｒ）、ＲＳＲＱ（ｒｅｆｅｒｅｎｃｅ  ｓｉｇｎａｌ  ｒｅｃｅｉｖｅｄ  ｑｕａｌｉｔｙ））と共に測定された仮想セルに対するパラメータ（例えば、セルＩＤ、アンテナポートナンバ、参照信号設定ナンバ）をフィードバックしなければならない。このとき、仮想セルのパラメータ候補の範囲が増加するほど、フィードバックシグナリングオーバーヘッドも増加する問題がある。
【０１０２】
したがって、仮想セルに対するパラメータをシグナリングオーバーヘッドの過度な増加を防止し、端末に知らせることによって効率的に端末が仮想セルの信号を受信することができる方法及び装置が必要である。
【０１０３】
仮想セルパラメータは、仮想セル別に互いに異なる値を有することができるパラメータ、即ち、仮想セル特定的なパラメータである。仮想セルパラメータは、例えば、仮想セルのセルＩＤ、アンテナポートの個数、アンテナポートナンバ、参照信号設定情報（例えば、ＣＳＩ−ＲＳ設定ナンバ、ＣＳＩ−ＲＳサブフレーム設定ナンバ）などである。このような仮想セルパラメータは、マザーセルのパラメータに従属的に決定されることができる。例えば、仮想セルのアンテナポートの個数は、マザーセルのアンテナポートの個数と同じである。その場合、仮想セルに対するアンテナポートの個数は、仮想セル特定的パラメータを送信する時に省略されることができる。または、端末が仮想セル特定的信号をブラインド検出する時、仮想セルに対するアンテナポートの個数は、マザーセルのパラメータを介して既に知っているため、検出オーバーヘッドを減らすことができる。
【０１０４】
端末が仮想セルパラメータをマザーセルのパラメータに基づいて知ることができる場合、仮想セルシステムのシグナリングオーバーヘッドを低くし、端末が仮想セル特定的信号をブラインド検出する時、計算速度を高め、電力消耗を低くすることができるという長所がある。
【０１０５】
図１２は、本発明の一実施例による、端末が仮想セルの信号を受信する方法を示す。
【０１０６】
図１２を参照すると、端末は、マザーセルのパラメータを取得する（Ｓ１０１）。例えば、端末は、マザーセル特定的なブロードキャスト（ｂｒｏａｄｃａｓｔ）メッセージ又は信号を利用してマザーセルのパラメータを取得することができる。マザーセル特定的なブロードキャストメッセージ又は信号には、例えば、システム情報ブロック（ＳＩＢ）、同期化信号、ＣＲＳ（ｃｅｌｌ−ｓｐｅｃｉｆｉｃ  ｒｅｆｅｒｅｎｃｅ  ｓｉｇｎａｌ）などがある。
【０１０７】
端末は、マザーセルのパラメータに基づいて仮想セルパラメータ候補の範囲を決定する（Ｓ１０２）。
【０１０８】
端末は、仮想セルパラメータ候補の範囲によるリソースを探索して仮想セル特定的信号を受信する（Ｓ１０３）。
【０１０９】
ここで、仮想セルパラメータをマザーセルのパラメータに基づいて決定する例を説明したが、これに制限されるものではない。即ち、仮想セルパラメータは、基準パラメータに基づいて決定されることができる。基準パラメータとは、基地局が端末に指定し、又は標準に約束された特定値、マザーセルのパラメータ値などになることができる。即ち、図１２は、基準パラメータの一例としてマザーセルのパラメータである場合を説明している。
【０１１０】
仮想セル特定的信号は、例えば、仮想セルが送信するＣＳＩ−ＲＳである。その場合、仮想セルパラメータは、仮想セルが送信するＣＳＩ−ＲＳに対するＣＳＩ−ＲＳ設定ナンバ、ＣＳＩ−ＲＳサブフレーム設定ナンバなどになることができる。また、基準パラメータは、例えば、基地局が改善された端末に指定する零−電力（ｚｅｒｏ−ｐｏｗｅｒ）ＣＳＩ−ＲＳのパラメータである。改善された端末に送信する仮想セル特定的なＣＳＩ−ＲＳは、零−電力ＣＳＩ−ＲＳのパラメータが指定するリソース要素で送信されることができるためである。
【０１１１】
このように仮想セル特定的信号に対する一部の仮想セルパラメータは知っており、残りの仮想セルパラメータは知っていない状態で、ブラインド検出を実行することをセミブラインド検出（ｓｅｍｉ−ｂｌｉｎｄ  ｄｅｔｅｃｔｉｏｎ；ＳＢＤ）という。
【０１１２】
このようなＳＢＤ方法による時、少なくとも二つの長所がある。第一、端末が仮想セル特定的信号をより低い検索オーバーヘッドを有しながら検出することができ、第二、端末の計算速度要求量及び電力消耗が減少される。
【０１１３】
以下、基準パラメータ（例えば、マザーセルのパラメータ）に基づいて仮想セルパラメータを決定する方法に対して説明する。以下、仮想セルパラメータの例として仮想セルのセルＩＤ、ＣＳＩ−ＲＳ設定情報などを説明するが、これに限定されるものではない。
【０１１４】
＜実施例１：仮想セルのセルＩＤ＞
【０１１５】
仮想セル特定的信号が互いに異なるセルＩＤを使用する場合を仮定する。マザーセルのセルＩＤの可能な総個数（これを候補という）は、システムによって決定されることができる。例えば、ＬＴＥの場合、マザーセルのセルＩＤの候補は５０４個であり、ＩＥＥＥ８０２．１６の場合には７６８個である。セルＩＤを表現するための情報量をビットで換算すると、ＬＴＥの場合には９ビットであり、ＩＥＥＥ８０２．１６の場合には１０ビットとなる。このとき、仮想セルのセルＩＤがマザーセルのセルＩＤと一部ビットが同じに規定すると、仮想セルのセルＩＤを伝達するための情報量が減るようになる。
【０１１６】
例えば、仮想セルが送信する同期化信号でセルＩＤを構成するシードナンバのうち一部をマザーセルのセルＩＤを構成するシードナンバと同じに規定することもできる。例えば、ＬＴＥで、セルＩＤ（ＮＩＤｃｅｌｌ）は、ＮＩＤｃｅｌｌ＝３ＮＩＤ（１）＋ＮＩＤ（２）のように構成される。ここで、ＮＩＤ（１）は、セルＩＤグループを示し、０〜１６７のうちいずれか一つの値である。ＮＩＤ（２）は、セルＩＤグループ内のセルＩＤを示し、０〜２のうちいずれか一つの値である。このとき、ＮＩＤ（１）は８ビットで表現され、ＮＩＤ（２）は２ビットで表現される。同じマザーセル内に存在する仮想セルに割り当てられるセルＩＤは、前述したＮＩＤ（１）及び／又はＮＩＤ（２）のうち一部ビットが同じに規定することができる。例えば、同じ基地局に連結された全てのノードは、同じＮＩＤ（１）を有することができる。その場合、各ノードは、ＮＩＤ（２）により区分されることができる。
【０１１７】
仮想セル特定的信号が使用するセルＩＤは、マザーセルのセルＩＤとＮＩＤ（１）及び／又はＮＩＤ（２）のうち一部ビットが同じに規定することができる。例えば、ＮＩＤ（２）が同じであると規定する場合、端末は、ＰＳＳ（ｐｒｉｍａｒｙ  ｓｙｎｃｈｒｏｎｉｚａｔｉｏｎ  ｓｉｇｎａｌ）から取得したＮＩＤ（２）が仮想セルでも同じであるということを知ることができる。したがって、仮想セルに対してはＮＩＤ（１）のみをシグナリングに利用することができる。または、端末は、セミブラインド検出（ＳＢＤ）過程でＮＩＤ（１）のみをさがせばよい。
【０１１８】
前記例は、ＬＴＥに対し説明したが、同様に、ＩＥＥＥ  ８０２．１６にも適用することができる。ＩＥＥＥ  ８０２．１６ｍでは前述した同期化信号の役割をプリアンブル（ｐｒｅａｍｂｌｅ）が実行する。ＩＥＥＥ８０２．１６ｍには二つのタイプのプリアンブル（ＩＥＥＥ８０２．１６ｍではプリアンブルをＡｄｖａｎｃｅｄ  Ｐｒｅａｍｂｌｅといい、以下、ＡＰと表示する）がある。即ち、プライマリ（ｐｒｉｍａｒｙ）ＡＰ（以下、ＰＡ−プリアンブル）とセコンダリ（ｓｅｃｏｎｄａｒｙ）ＡＰ（以下、ＳＡ−プリアンブル）である。一つのＰＡ−プリアンブルシンボルと二つのＳＡ−プリアンブルシンボルがスーパーフレーム内に存在する。ＡＰシンボルの位置は、最後のフレームを除いたフレームの一番目のシンボルである。例えば、ＰＡ−プリアンブルは、スーパーフレーム内の二番目フレームの一番目のシンボルに位置し、ＳＡ−プリアンブルは、一番目及び三番目のフレームの一番目のシンボルに位置する。
【０１１９】
ＰＡ−プリアンブルのためのシーケンスの長さは、ＦＦＴ（ｆａｓｔ  Ｆｏｕｒｉｅｒ  ｔｒａｎｓｆｏｒｍ）サイズに関係なく２１６である。ＰＡ−プリアンブルは、システム帯域幅と搬送波設定に対する情報を伝送する。副搬送波（ｓｕｂｃａｒｒｉｅｒ）インデックス２５６は、ＤＣ副搬送波のために留保される場合、副搬送波の割当は、以下の数式４により実行される。
【０１２０】
【数４】
0005698384.tif 000009
【０１２１】
前記数式４において、‘ＰＡＰｒｅａｍｂｌｅＣａｒｒｉｅｒＳｅｔ’は、ＰＡ−プリアンブルに割り当てられた全ての副搬送波を規定する。そして、ｋは、０〜２１５のランニングインデックスである。
【０１２２】
ＳＡ−プリアンブルのために割り当てられる副搬送波の個数ＮＳＡＰは、１４４、２８８、５７６であり、これは順序通りに５１２−ＦＦＴ、１０２４−ＦＦＴ、２０４８−ＦＦＴのためのものである。副搬送波の割当は、以下の数式５により実行され、副搬送波インデックス２５６、５１２、１０２４は、順序通りに５１２−ＦＦＴ、１０２４−ＦＦＴ、２０４８−ＦＦＴに対するＤＣ副搬送波のために留保（ｒｅｓｅｒｖｅｄ）される。
【０１２３】
【数５】
0005698384.tif 000010
【０１２４】
前記数式５において、‘ＳＡＰｒｅａｍｂｌｅＣａｒｒｉｅｒＳｅｔｎ’は、特定ＳＡ−プリアンブルに割り当てられる全ての副搬送波を規定する。ｎは、ＳＡ−プリアンブル搬送波集合０、１、２のインデックスであり、セグメントＩＤを示し、ｋは、各ＦＦＴサイズに対する０〜（ＮＳＡＰ−１）のインデックスである。
【０１２５】
各セグメントは、三つの使用可能な搬送波集合のうち、一つの搬送波集合で構成されたＳＡ−プリアンブルを使用する。例えば、セグメント０はＳＡ−プリアンブル搬送波集合０を使用し、セグメント１はＳＡ−プリアンブル搬送波集合１を使用し、セグメント２はＳＡ−プリアンブル搬送波集合２を使用する。
【０１２６】
ＩＥＥＥ  ８０２．１６ｍでは、各セルＩＤが０〜７６７の整数値を有する。セルＩＤである‘ＩＤｃｅｌｌ’は、以下の数式のようにセグメントＩＤとセグメント別インデックスで定義される。
【０１２７】
【数６】
0005698384.tif 000011
【０１２８】
ここで、ｎは、ＳＡ−プリアンブル搬送波集合０、１、２のインデックスであり、セグメントＩＤを示す。前記数式６のＩｄｘは、以下の数式のように与えられる。
【０１２９】
【数７】
0005698384.tif 000012
【０１３０】
前述したように、ＩＥＥＥ  ８０２．１６ｍにより動作する端末は、プリアンブルを利用してセルＩＤを取得する。したがって、仮想セル特定的信号が使用するセルＩＤは、マザーセルとｎ及びＩｄｘのうち一部が同じに規定することができる。
【０１３１】
または、仮想セルのセルＩＤの一部情報を特定の値、例えば、予め決められた値で規定することもできる。即ち、仮想セルに対してはセルＩＤを構成する情報のうち一部は、固定された値（例えば、０）を使用する。その場合、仮想セルが有するセルＩＤの範囲は、マザーセルが有するセルＩＤの範囲に比べて減るようになる。このような方法は、仮想セルを含むマザーセルが隣接して存在する場合、互いに異なるマザーセルの仮想セルが同じセルＩＤを有する問題が発生することができる。同じセルＩＤを有する仮想セルが存在すると、干渉増加、ＣＱＩ不一致などの問題が発生することができる。したがって、システムの特性によって、選択的に前記方法、即ち、仮想セルのセルＩＤの一部情報を特定値で規定する方法を使用することができる。
【０１３２】
＜実施例２：仮想セルのＣＳＩ−ＲＳ設定情報＞
【０１３３】
仮想セル特定的信号は、ＬＴＥでのＣＳＩ−ＲＳである。ＣＳＩ−ＲＳが送信されるリソースは、ＣＳＩ−ＲＳ設定ナンバとＣＳＩ−ＲＳサブフレーム設定ナンバにより決定されることができる。端末は、ＣＳＩ−ＲＳ設定ナンバによりサブフレーム内でＣＳＩ−ＲＳが送信される（マッピングされる）リソース要素（ＲＥ）を知ることができ、ＣＳＩ−ＲＳサブフレーム設定ナンバによりＣＳＩ−ＲＳが送信される周期とオフセット、即ち、ＣＳＩ−ＲＳが送信される時点（即ち、サブフレーム）を知ることができる。
【０１３４】
図１３及び図１４は、ＬＴＥでＣＳＩ−ＲＳが送信されることができる全てのリソース要素の位置を２個の連続するリソースブロック上に表示したものである。即ち、図１３及び図１４は、表１（ノーマルＣＰ）、表２（拡張ＣＰ）に示したＣＳＩ−ＲＳ設定ナンバに対応する全てのリソース要素を２個の連続するリソースブロック上に表示したものである。
【０１３５】
図１３（ａ）及び図１４（ａ）を参照すると、２個のアンテナポートを使用する場合、０と１で表示された２個の連続するリソース要素をアンテナポート１５が使用してＣＳＩ−ＲＳを送信し、同じリソース要素をＯＣＣ（ｏｒｔｈｏｇｏｎａｌ  ｃｏｄｅ  ｃｏｖｅｒ）してアンテナポート１６がＣＳＩ−ＲＳを送信する。即ち、表１及び表２において、２個のアンテナポートを使用する場合、ＣＳＩ−ＲＳがマッピングされることができる全てのリソース要素を表示すると、図１３（ノーマルＣＰである場合）、図１４（拡張ＣＰである場合）のように表現されることができる。その場合、ノーマルＣＰの場合、総２０個のＣＳＩ−ＲＳ設定が存在し、拡張ＣＰの場合、総１６個のＣＳＩ−ＲＳ設定が存在する。
【０１３６】
もし、４個のアンテナポートを使用してＣＳＩ−ＲＳを送信すると、２個ずつのアンテナポートが同じリソース要素にマッピングされるが、ＯＣＣを介して区分される。例えば、アンテナポート１５、１６が同じリソース要素（０、１で表示されたリソース要素）にマッピングされるが、ＯＣＣを介して区分され、アンテナポート１７、１８が同じリソース要素（２、３で表示されたリソース要素）にマッピングされるが、ＯＣＣを介して区分される。図１３（ｂ）、図１４（ｂ）を参照すると、０、１で表示されたリソース要素でアンテナポート１５、１６のＣＳＩ−ＲＳがマッピングされ、２、３で表示されたリソース要素でアンテナポート１７、１８のＣＳＩ−ＲＳがマッピングされる。その場合、ノーマルＣＰで１０個のＣＳＩ−ＲＳ設定が存在し、拡張ＣＰで８個のＣＳＩ−ＲＳ設定が存在する。
【０１３７】
図１３（ｃ）、図１４（ｃ）を参照すると、アンテナポート１５、１６が同じリソース要素（０、１で表示されたリソース要素）でＣＳＩ−ＲＳを送信するが、ＯＣＣを介して区分され、アンテナポート１７、１８が同じリソース要素（２、３で表示されたリソース要素）でＣＳＩ−ＲＳを送信するが、ＯＣＣを介して区分される。アンテナポート１９、２０に対するＣＳＩ−ＲＳが４、５で表示されたリソース要素にマッピングされ、アンテナポート２１、２２に対するＣＳＩ−ＲＳが６、７で表示されたリソース要素にマッピングされる。その場合、ノーマルＣＰの場合、総５個のＣＳＩ−ＲＳ設定が存在し、拡張ＣＰの場合、総４個のＣＳＩ−ＲＳ設定が存在する。前述したように、ＣＳＩ−ＲＳ設定ナンバによって、アンテナポートの個数によるＣＳＩ−ＲＳが送信されるリソース要素が決定されることができる。
【０１３８】
また、ＣＳＩ−ＲＳが送信されるサブフレームと関連して前記表３を参照して説明したように、ＣＳＩ−ＲＳは、最小５サブフレームで最大８０サブフレーム周期に送信されることができる。即ち、仮想セル特定的信号がＣＳＩ−ＲＳである場合、ＣＳＩ−ＲＳサブフレーム設定ナンバによって、仮想セルが使用するＣＳＩ−ＲＳの送信時点が決定される。
【０１３９】
仮想セルシステムでは改善された端末をサポートするために、マザーセル特定的なＣＳＩ−ＲＳ及び仮想セル特定的なＣＳＩ−ＲＳが送信されることができる。
【０１４０】
マザーセル特定的なＣＳＩ−ＲＳは、マザーセルのセルＩＤに基づいて生成された参照信号シーケンスを使用して送信され、改善された端末は、同期化信号から取得したマザーセルのセルＩＤとマザーセルベースの上位階層メッセージから受信されたマザーセルのＣＳＩ−ＲＳ設定ナンバとマザーセルのＣＳＩ−ＲＳサブフレーム設定ナンバを利用してマザーセルのＣＳＩ−ＲＳを受信することができる。
【０１４１】
端末は、マザーセルのＣＳＩ−ＲＳ設定ナンバとマザーセルのＣＳＩ−ＲＳサブフレーム設定ナンバを利用して仮想セルのＣＳＩ−ＲＳ設定と仮想セルのＣＳＩ−ＲＳサブフレーム設定を検出することができる。その理由は、本発明によると、仮想セルのＣＳＩ−ＲＳ設定及びＣＳＩ−ＲＳサブフレーム設定は、マザーセルのＣＳＩ−ＲＳ設定とＣＳＩ−ＲＳサブフレーム設定に従属的であるためである。
【０１４２】
仮想セルのＣＳＩ−ＲＳ設定及びＣＳＩ−ＲＳサブフレーム設定とマザーセルのＣＳＩ−ＲＳ設定及びＣＳＩ−ＲＳサブフレーム設定との関係は、後述する多様な方法のうちいずれか一つが利用されることができる。
【０１４３】
まず、説明の便宜のために、いくつかの用語を定義する。
【０１４４】
ＣＭＣＥＬＬは、マザーセルのＣＳＩ−ＲＳ設定ナンバ（ＣＳＩ−ＲＳ  ｃｏｎｆｉｇｕｒａｔｉｏｎ  ｎｕｍｂｅｒ）を示す。ＩＭＣＥＬＬは、マザーセルのＣＳＩ−ＲＳサブフレーム設定ナンバ（ＣＳＩ−ＲＳ  ｓｕｂｆｒａｍｅ  ｃｏｎｆｉｇｕｒａｔｉｏｎ  ｎｕｍｂｅｒ）を示す。ＣＶＣＥＬＬは、仮想セルのＣＳＩ−ＲＳ設定ナンバを示す。ＩＶＣＥＬＬは、仮想セルのＣＳＩ−ＲＳサブフレーム設定ナンバを示す。
【０１４５】
また、仮想セルで可能な最大ＣＳＩ−ＲＳ設定の数をＮＣＣと定義する。即ち、ＮＣＣは、与えられた状況（例えば、与えられたＣＳＩ−ＲＳポートの個数、ノーマルＣＰか拡張ＣＰか、フレーム構造タイプ等）によって規定されるＣＳＩ−ＲＳ設定の総個数又はサブフレーム内で零−電力ＣＳＩ−ＲＳの設定により規定された総リソース要素領域（ｎｕｌｌｅｄ  ＲＥｓ）を利用して仮想セルが送信可能な最大ＣＳＩ−ＲＳ設定の数である。
【０１４６】
Ｑ（ａ，ｎ）は、ａをｎで割ったものを出力する演算子を示し、Ｒ（ａ，ｎ）は、ａをｎで割った残りを出力する演算子を示す。
【０１４７】
また、後述する方法において、マザーセル及び仮想セルのＣＳＩ−ＲＳを送信するアンテナポートの数は、同じ又は２以下であると仮定する。
【０１４８】
前述した定義を利用し、以下、仮想セルのＣＳＩ−ＲＳ設定及びＣＳＩ−ＲＳサブフレーム設定とマザーセルのＣＳＩ−ＲＳ設定及びＣＳＩ−ＲＳサブフレーム設定との関係を設定する方法を説明する。
【０１４９】
ｖｍａｘ個の仮想セルのうち、ｖＩＤ番目の仮想セルは、次のようなＣＳＩ−ＲＳ設定ナンバとＣＳＩ−ＲＳサブフレーム設定ナンバを有することができる。ここで、ｖＩＤは｛１，２，．．．，ｖｍａｘ｝のうちいずれか一つである。
【０１５０】
方法１．仮想セルが固定されたＣＳＩ−ＲＳサブフレーム設定ナンバを有し、連続的にＣＳＩ−ＲＳ設定ナンバをシフトする方法。
【０１５１】
ｖＩＤ番目の仮想セルのＣＳＩ−ＲＳ設定ナンバ（ＣＶＣＥＬＬ）とＣＳＩ−ＲＳサブフレーム設定ナンバ（ＩＶＣＥＬＬ）は、以下の数式のように設定されることができる。
【０１５２】
【数８】
0005698384.tif 000013
【０１５３】
前記数式８において、Δｃは、ＣＳＩ−ＲＳ設定ナンバのステップ大きさ（ｓｔｅｐ  ｓｉｚｅ）を示す任意の整数である。ステップ大きさは、ＣＳＩ−ＲＳ設定ナンバの変化量の単位になる値である。Δｃは、例えば、１である。Ｉｏｆｆｓｅｔは、ＣＳＩ−ＲＳサブフレーム設定ナンバオフセットであり、上位階層信号を用いてシグナリングされ、又は予め決められた値である。Ｉｏｆｆｓｅｔは、例えば、０である。
【０１５４】
即ち、方法１は、全ての仮想セルでＣＳＩ−ＲＳサブフレーム設定ナンバはマザーセル基準に特定オフセットほど差がある固定された値を使用し、ＣＳＩ−ＲＳ設定ナンバはマザーセルからΔｃ×ｖＩＤほど差がある設定を順次に使用する。即ち、仮想セルのＣＳＩ−ＲＳ設定ナンバは、マザーセル（例えば、基地局）のＣＳＩ−ＲＳ設定ナンバを仮想セル（例えば、仮想セルシステム内のノード）のインデックスに基づいて増加させた値である。
【０１５５】
もし、ΔｃとＮｃｃが互いに素であり、Ｉｏｆｆｓｅｔが０である場合、マザーセルと仮想セルは、同じＣＳＩ−ＲＳサブフレーム設定を使用する。したがって、この方法によりサポート可能な最大仮想セルの数（ｖｍａｘ）は（Ｎｃｃ−１）に制限される。もし、Ｉｏｆｆｓｅｔが０でない場合、この方法によりサポート可能な最大仮想セルの数（ｖｍａｘ）はＮｃｃに制限される。
【０１５６】
方法１において、マザーセルと仮想セルのＣＳＩ−ＲＳ周期が異なる場合、前記ＣＳＩ−ＲＳ周期の差によってＩｏｆｆｓｅｔ値が決定されることができる。例えば、仮想セルのＣＳＩ−ＲＳ周期が１０に固定される場合、マザーセルのＣＳＩ−ＲＳ設定ナンバの範囲によって、Ｉｏｆｆｓｅｔを以下の数式のように定義することができる。
【０１５７】
【数９】
0005698384.tif 000014
【０１５８】
前記数式９において、Ｉｏｆｆｓｅｔ２は、−１０＜Ｉｏｆｆｓｅｔ２＜１０の範囲内に存在する整数である。前記数式９を適用すると、仮想セルのＣＳＩ−ＲＳ設定ナンバが（５＋Ｉｏｆｆｓｅｔ２）〜（１５＋Ｉｏｆｆｓｅｔ２）に制限される。
【０１５９】
または、仮想セルのＣＳＩ−ＲＳ周期（ＴＶＣＥＬＬ）によって予め決められた範囲内で強制的に割り当てることもできる。
【０１６０】
【数１０】
0005698384.tif 000015
【０１６１】
前記数式１０において、ＳＭＣＥＬＬは、マザーセルのＣＳＩ−ＲＳサブフレームオフセット（ΔＣＳＩ−ＲＳ）である。前記数式１０において、マザーセルと仮想セルのＣＳＩ−ＲＳサブフレームオフセットの差をＩｏｆｆｓｅｔほど固定的に割り当てることができる。
【０１６２】
図１５は、方法１を例示した図面である。
【０１６３】
以下、方法１乃至方法５に対する図面の全ては、マザーセルのＣＳＩ−ＲＳ設定ナンバが０であり、ＣＳＩ−ＲＳサブフレーム設定ナンバも０（即ち、ＣＳＩ−ＲＳ周期が５サブフレーム）であると仮定する。また、マザーセルと仮想セルのＣＳＩ−ＲＳを送信するアンテナポート個数が２個以下であり、ノーマルＣＰを使用する場合を仮定する。また、全ての例において、ステップサイズ（ｓｔｅｐ  ｓｉｚｅ）は１、即ち、ΔＣ＝ΔＳ＝１であると仮定する。設定オフセット値（即ち、Ｃｏｆｆｓｅｔ＝Ｉｏｆｆｓｅｔ＝０）の値も０であると仮定する。しかし、このような仮定は制限ではなく例示に過ぎない。
【０１６４】
図１５を参照すると、仮想セルの総数は１５個である。総１５個の仮想セルは、図１５に示すように、同じサブフレーム内で互いに異なるリソース要素を利用してＣＳＩ−ＲＳを送信する。仮想セルのＣＳＩ−ＲＳ設定ナンバが順次にシフトされて使われるためである。
【０１６５】
方法２：仮想セルのＣＳＩ−ＲＳサブフレームオフセットをシフトしながら、仮想セルのＣＳＩ−ＲＳ設定ナンバを連続的にシフトする方法。
【０１６６】
ｖＩＤ番目の仮想セルのＣＳＩ−ＲＳ設定ナンバ（ＣＶＣＥＬＬ）と仮想セルのＣＳＩ−ＲＳサブフレーム設定ナンバ（ＩＶＣＥＬＬ）は、以下の数式のように決定されることができる。
【０１６７】
【数１１】
0005698384.tif 000016
【０１６８】
前記数式１１において、Δｃは、ＣＳＩ−ＲＳ設定ナンバのステップ大きさ（ｓｔｅｐ  ｓｉｚｅ）を示す整数である。Δｓは、ＣＳＩ−ＲＳサブフレーム設定ナンバのステップ大きさを示す整数である。ＴＶＣＥＬＬは、仮想セルのＣＳＩ−ＲＳ周期（ＴＣＳＩ−ＲＳ）である。ＳＭＣＥＬＬは、マザーセルのＣＳＩ−ＲＳサブフレームオフセット（ΔＣＳＩ−ＲＳ）である（ＳＭＣＥＬＬ＝ＩＭＣＥＬＬ−ＴＭＣＥＬＬ＋５）。
【０１６９】
即ち、方法２は、方法１でサポートすることができる仮想セルの数が制限されるという短所を克服するために、方法１のようにＣＳＩ−ＲＳ設定ナンバを順次にシフトしながら、仮想セルに割り当てた後、Δｃ×ｖＩＤがＮｃｃを超過する場合、ＣＳＩ−ＲＳサブフレーム設定ナンバを変える方法である。したがって、方法２を利用すると、最大（ＴＭＣＥＬＬ×Ｎｃｃ−１）個の仮想セル特定的なＣＳＩ−ＲＳを送信することができる。即ち、最大（ＴＭＣＥＬＬ×Ｎｃｃ−１）個の仮想セルでＣＳＩ−ＲＳを送信することができる。
【０１７０】
図１６は、方法２を例示した図面である。
【０１７１】
図１６を参照すると、仮想セルの総数は２２個である。このような総２２個の仮想セルに方法２を適用する場合、サブフレーム１で総１９個の仮想セルに対するＣＳＩ−ＲＳを送信し、サブフレーム１に連続するサブフレーム２で総３個の仮想セルに対するＣＳＩ−ＲＳを送信する。即ち、一つのサブフレームでリソース要素が重ならずに送信可能なＣＳＩ−ＲＳの個数（Ｎｃｃ）より多くの仮想セルが存在する場合、前記一つのサブフレームで一部の仮想セルのＣＳＩ−ＲＳを送信し、残りの仮想セルのＣＳＩ−ＲＳは、連続する次のサブフレームで送信する。
【０１７２】
方法３．仮想セルが固定されたＣＳＩ−ＲＳ設定ナンバを有し、ＣＳＩ−ＲＳサブフレームオフセットを連続的にシフトする方法。
【０１７３】
ｖＩＤ番目の仮想セルのＣＳＩ−ＲＳ設定ナンバ（ＣＶＣＥＬＬ）と仮想セルのＣＳＩ−ＲＳサブフレーム設定ナンバ（ＩＶＣＥＬＬ）は、以下の数式のように決定されることができる。
【０１７４】
【数１２】
0005698384.tif 000017
【０１７５】
前記数式１２において、Ｃｏｆｆｓｅｔは、ＣＳＩ−ＲＳ設定ナンバオフセットであり、上位階層信号を介してシグナリングされ、又は予め決められた値、例えば、０である。Δｓは、ＣＳＩ−ＲＳサブフレーム設定ナンバのステップ大きさを示す任意の整数である。ＴＭＣＥＬＬは、マザーセルのＣＳＩ−ＲＳ周期である（ＴＣＳＩ−ＲＳ）。
【０１７６】
即ち、方法３は、全ての仮想セルでＣＳＩ−ＲＳ設定ナンバをマザーセルを基準に特定オフセットほど差があるように全部同じに使用しながら（又は、マザーセルと同じＣＳＩ−ＲＳ設定ナンバを使用しながら）、ＣＳＩ−ＲＳサブフレーム設定ナンバをマザーセルとΔｓ×ｖＩＤほど差がある値を順次使用する方法である。即ち、仮想セルを構成するノードのＣＳＩ−ＲＳ設定ナンバは、マザーセルを構成する基地局のＣＳＩ−ＲＳ設定ナンバと同じ値（又は、固定された値）であり、前記ノードのＣＳＩ−ＲＳサブフレーム設定ナンバは、基地局のＣＳＩ−ＲＳサブフレーム設定ナンバを前記ノードのインデックスに基づいて増加させた値である。
【０１７７】
このとき、仮想セルで送信するＣＳＩ−ＲＳ周期は、マザーセルと同じである。したがって、Ｃｏｆｆｓｅｔ＝０である場合、この方法によりＣＳＩ−ＲＳを送信することができる最大仮想セルの数は（マザーセルのＣＳＩ−ＲＳ周期（ＴＭＣＥＬＬ）−１）に制限され、Ｃｏｆｆｓｅｔが０でない場合にはマザーセルのＣＳＩ−ＲＳ周期（ＴＭＣＥＬＬ）に制限される。
【０１７８】
図１７は、方法３を例示した図面である。
【０１７９】
図１７を参照すると、仮想セルの総数が４個である場合、方法３を適用した例を示す。各仮想セルのＣＳＩ−ＲＳ周期は、マザーセルと同じに５サブフレームや、ＣＳＩ−ＲＳサブフレームオフセット値を異なるようにすることによって、互いに異なるサブフレームの同じリソース要素でＣＳＩ−ＲＳを送信する。即ち、マザーセルはサブフレーム１、６でＣＳＩ−ＲＳを送信し、仮想セル１はサブフレーム２、７でＣＳＩ−ＲＳを送信する。仮想セル２はサブフレーム３、８で、仮想セル３はサブフレーム４、９で、仮想セル４はサブフレーム５、１０で、ＣＳＩ−ＲＳを送信する。
【０１８０】
方法４．仮想セルが固定されたＣＳＩ−ＲＳ設定ナンバを有し、仮想セルのＣＳＩ−ＲＳサブフレームオフセットをシフトする方法を一般化。
【０１８１】
ｖＩＤ番目の仮想セルのＣＳＩ−ＲＳ設定ナンバ（ＣＶＣＥＬＬ）と仮想セルのＣＳＩ−ＲＳサブフレーム設定ナンバ（ＩＶＣＥＬＬ）は、以下の数式のように決定されることができる。
【０１８２】
【数１３】
0005698384.tif 000018
【０１８３】
前記数式１３において、ＴＶＣＥＬＬは仮想セルのＣＳＩ−ＲＳ周期であり、上位階層信号を用いてシグナリングされ、又は予め決められた値が決定されることができる。例えば、ＴＶＣＥＬＬはＮ×ＴＭＣＥＬＬ、ＴＶＣＥＬＬ＝５Ｍに決定されることができる。ここで、Ｎ、Ｍは正の整数である。Ｏｆｆｓｅｔ（ｖＩＤ，ＩＭＣＥＬＬ）は、与えられたＩＭＣＥＬＬ値に対してｖＩＤ番目の仮想セルのＣＳＩ−ＲＳサブフレームオフセットを出力する。このとき、互いに異なるｖＩＤは、互いに異なる出力値を有する。例えば、Ｏｆｆｓｅｔ（ｖＩＤ，ＩＭＣＥＬＬ）＝Δｓ×ｖＩＤ＋ＳＭＣＥＬＬ又はＯｆｆｓｅｔ（ｖＩＤ，ＩＭＣＥＬＬ）＝Δｓ×ｖＩＤのように決定されることができる。
【０１８４】
方法４は、方法３をさらに一般化した方法であるとみることができる。即ち、全ての仮想セルは、同じＣＳＩ−ＲＳ設定ナンバとＣＳＩ−ＲＳ周期を有する。このとき、仮想セルのＣＳＩ−ＲＳ周期は、方法３と同様に、マザーセルの周期に従属的（例えば、ＴＶＣＥＬＬ＝２×ＴＭＣＥＬＬ）であってもよく、又は非従属的であってもよい（例えば、ＴＶＣＥＬＬは、上位階層信号を用いてシグナリングされてもよい）。各仮想セルは、決められた順序に互いに異なるＣＳＩ−ＲＳサブフレーム設定ナンバの付与を受ける。仮想セルが互いに異なるＣＳＩ−ＲＳサブフレーム設定ナンバの付与を受けるということは、各仮想セルが同じＣＳＩ−ＲＳ送信周期を有し、互いに異なるＣＳＩ−ＲＳサブフレームオフセットを有するということを意味する。
【０１８５】
この場合、マザーセルとの干渉を避けるために、マザーセルがＣＳＩ−ＲＳを送信するサブフレームでは、仮想セルがＣＳＩ−ＲＳを送信しないようにすることができる。このような技法を仮想セルサブフレームミューティング（ｍｕｔｉｎｇ）という。仮想セルサブフレームミューティングのために前述した数式１３で、
【０１８６】
１．Ｏｆｆｓｅｔ（ｖＩＤ，ＩＭＣＥＬＬ）＝ｖＩＤ＋ＳＭＣＥＬＬ＋Ｑ（ｖＩＤ，ＴＭＣＥＬＬ）又は
【０１８７】
２．Ｏｆｆｓｅｔ（ｖＩＤ，ＩＭＣＥＬＬ）＝ｖＩＤ−１＋Ｑ（ｖＩＤ−１＋ＴＭＣＥＬＬ−ＳＭＣＥＬＬ、ＴＭＣＥＬＬ）のように規定することができる。前記１．は、マザーセルのＣＳＩ−ＲＳサブフレームオフセットを基準に一つずつＣＳＩ−ＲＳサブフレームオフセットを増やしながら、各仮想セルがＣＳＩ−ＲＳを送信する方法である。前記２．は、各仮想セルがＣＳＩ−ＲＳサブフレームオフセット＝０から始めてＣＳＩ−ＲＳオフセット値を一つずつ増やしてＣＳＩ−ＲＳを送信する方法である。前述した二つの方法は、マザーセルがＣＳＩ−ＲＳを送信するサブフレームでは仮想セルがＣＳＩ−ＲＳを送信しない。
【０１８８】
このように仮想セルサブフレームミューティング技法を使用する場合、仮想セル特定的なＣＳＩ−ＲＳを送信することができる仮想セルの数は、仮想セルのＣＳＩ−ＲＳ周期からｍａｘ（１，ＴＶＣＥＬＬ／ＴＭＣＥＬＬ）を引いた値に制限される。即ち、ｖｍａｘ＝ＴＶＣＥＬＬ−ｍａｘ（１，ＴＶＣＥＬＬ／ＴＭＣＥＬＬ）になる。もし、仮想セルサブフレームミューティング技法が適用されない場合には、仮想セル特定的なＣＳＩ−ＲＳを送信することができる仮想セルの数が仮想セルのＣＳＩ−ＲＳ周期に制限される。即ち、ｖｍａｘ＝ＴＶＣＥＬＬになる。
【０１８９】
図１８は、方法４を例示した図面である。
【０１９０】
図１８を参照すると、仮想セルの総数が５個である場合、方法４を適用した例を示す。仮想セルのＣＳＩ−ＲＳ周期（ＴＶＣＥＬＬ＝１０）は、マザーセルの２倍である１０サブフレームである。これは仮想セルの数が５個であるため、送信周期をマザーセルＣＳＩ−ＲＳ周期の倍数に設定した場合を示す。サブフレーム１でマザーセルのＣＳＩ−ＲＳが送信され、サブフレーム２の同じリソース要素で仮想セル１のＣＳＩ−ＲＳが送信される。また、サブフレーム３では仮想セル２のＣＳＩ−ＲＳが送信され、サブフレーム４では仮想セル３のＣＳＩ−ＲＳが送信され、サブフレーム５では仮想セル４のＣＳＩ−ＲＳが送信される。サブフレーム６ではＣＳＩ−ＲＳ周期が５サブフレームであるマザーセルのＣＳＩ−ＲＳが送信され、サブフレーム７では仮想セル５のＣＳＩ−ＲＳが送信される。即ち、図１８は、仮想セルサブフレームミューティングを適用したものである。
【０１９１】
方法５：仮想セルのＣＳＩ−ＲＳサブフレーム設定ナンバをシフトし、ＣＳＩ−ＲＳ設定ナンバをマザーセルと同じに使用し、仮想セルが使用することができるサブフレームが全部使用されると、ＣＳＩ−ＲＳ設定ナンバを変更する方法。
【０１９２】
ｖＩＤ番目の仮想セルのＣＳＩ−ＲＳ設定ナンバ（ＣＶＣＥＬＬ）と仮想セルのＣＳＩ−ＲＳサブフレーム設定ナンバ（ＩＶＣＥＬＬ）は、以下の数式のように決定されることができる。
【０１９３】
【数１４】
0005698384.tif 000019
【０１９４】
方法５は、前述した方法３及び方法４でＣＳＩ−ＲＳを送信することができる仮想セルの数が制限されるという短所を克服するために、各仮想セルがマザーセルと同じＣＳＩ−ＲＳ設定ナンバを使用し、ＣＳＩ−ＲＳサブフレーム設定ナンバを変化させて使用する中、仮想セルが使用することができるサブフレームが全部使用されると、ＣＳＩ−ＲＳ設定ナンバを変化させた後、次の仮想セルから再びＣＳＩ−ＲＳサブフレーム設定ナンバを順次割り当てる。したがって、送信可能な仮想セルＣＳＩ−ＲＳの数が最大（ＴＶＣＥＬＬ−ｍａｘ（１，ＴＶＣＥＬＬ／ＴＭＣＥＬＬ））×ＮＣＣほど増加する。即ち、仮想セル特定的なＣＳＩ−ＲＳを送信することができる仮想セルの数が最大（ＴＶＣＥＬＬ−ｍａｘ（１，ＴＶＣＥＬＬ／ＴＭＣＥＬＬ））×ＮＣＣとなる。
【０１９５】
数式１４において、ＴＶＣＥＬＬ−ｍａｘ（１，ＴＶＣＥＬＬ／ＴＭＣＥＬＬ）を使用することは、仮想セルサブフレームミューティングを使用することを仮定したためである。もし、仮想セルのＣＳＩ−ＲＳ設定ナンバがマザーセルと同じ場合にのみ、仮想セルサブフレームミューティングを適用すると限定する場合、ｖＩＤ番目の仮想セルのＣＳＩ−ＲＳ設定ナンバ（ＣＶＣＥＬＬ）と仮想セルのＣＳＩ−ＲＳサブフレーム設定ナンバ（ＩＶＣＥＬＬ）は、以下の数式のように決定されることができる。
【０１９６】
【数１５】
0005698384.tif 000020
【０１９７】
数式１５によると、仮想セルＣＳＩ−ＲＳの数は、数式１４に比べて増加される。
【０１９８】
図１９は、方法５を例示した図面である。
【０１９９】
図１９を参照すると、仮想セルの総数は１５個であり、仮想セルのＣＳＩ−ＲＳ周期（ＴＶＣＥＬＬ）は５サブフレームである。このような場合、方法５を適用すると、サブフレーム１ではマザーセルと仮想セル５、１０、１５がＣＳＩ−ＲＳを互いに異なるリソース要素で送信する。サブフレーム２では仮想セル１、６、１１がＣＳＩ−ＲＳを送信し、サブフレーム３では仮想セル２、７、１２がＣＳＩ−ＲＳを送信し、サブフレーム４では仮想セル３、８、１３がＣＳＩ−ＲＳを送信し、サブフレーム５では仮想セル４、９、１４がＣＳＩ−ＲＳを送信する。このような時間的パターンで、サブフレーム６では再びマザーセルと仮想セル５、１０、１５がＣＳＩ−ＲＳを送信し、同様に、サブフレーム７では仮想セル１、６、１１がＣＳＩ−ＲＳを送信する。即ち、仮想セルとマザーセルが同じＣＳＩ−ＲＳ設定ナンバを使用し、ＣＳＩ−ＲＳサブフレーム設定ナンバを変更しながらＣＳＩ−ＲＳを送信する。即ち、仮想セル１（＃１）乃至仮想セル４（＃４）は、同じＣＳＩ−ＲＳ設定ナンバで、ＣＳＩ−ＲＳサブフレーム設定ナンバを変更しながらＣＳＩ−ＲＳを送信する。仮想セル５（＃５）は、同じＣＳＩ−ＲＳ設定ナンバでそれ以上送信することができるサブフレームがないため、ＣＳＩ−ＲＳ設定ナンバを変更してサブフレーム１乃至サブフレーム５でＣＳＩ−ＲＳを送信する。仮想セル６（＃６）乃至仮想セル９（＃９）も同様である。仮想セル１０（＃１０）は、ＣＳＩ−ＲＳ設定ナンバを変更した後、サブフレーム１でＣＳＩ−ＲＳを送信する。
【０２００】
マザーセルと仮想セルで使用するＣＳＩ−ＲＳポートの数が互いに異なる場合もある。この場合、前述した数式を変更する必要がある。その理由は、マザーセルは使用するが、仮想セルは使用しないＣＳＩ−ＲＳアンテナポートに対し、仮想セルは、マザーセルのＣＳＩ−ＲＳが使用するリソース要素を使用してはならないためである。
【０２０１】
この場合、基本的なリソース割当方式に変わりはないが、仮想セルが使用してはならないＣＳＩ−ＲＳ設定ナンバが追加的に発生するため、数式が変更される必要がある。例えば、ノーマルＣＰを使用する場合、マザーセルと仮想セルが同じサブフレームでＣＳＩ−ＲＳを送信するとき、マザーセルが８個のＣＳＩ−ＲＳアンテナポートとＣＳＩ−ＲＳ設定ナンバ＝０を使用すると、１個又は２個のＣＳＩ−ＲＳアンテナポートを使用する仮想セルは、ＣＳＩ−ＲＳ設定ナンバ＝０だけでなく、ＣＳＩ−ＲＳ設定ナンバ５、１０、１１も使用しない場合のみ、マザーセルがＣＳＩ−ＲＳの送信に使用するリソース要素と重ならない。したがって、このような場合、複数のＣＳＩ−ＲＳ設定ナンバを避けるように前記数式が変更されることができる。
【０２０２】
前述したように、５の方法のうちいずれか一つを利用すると、基地局が端末に仮想セルの総個数を知らせる場合、端末は、マザーセルのパラメータ（又は、基準パラメータ）を介して知ることができるリソース要素から仮想セル特定的ＣＳＩ−ＲＳを検出し、各仮想セル特定的ＣＳＩ−ＲＳに対する測定値（例えば、ＲＳＲＰ、ＲＳＲＱ、経路損失等）を測定して基地局にフィードバックすることができる。このとき、端末は、所望する仮想セルに対するインデックス（ｖＩＤ）を基地局にフィードバックすることもできる。
【０２０３】
＜実施例３：仮想セルのアンテナポートナンバ＞
【０２０４】
以下、仮想セルパラメータが仮想セルのＣＳＩ−ＲＳアンテナポートナンバである場合、基準パラメータから仮想セルパラメータを取得する方式に対して説明する。
【０２０５】
特定基準値ｉ∈｛１，２，．．．，Ｎ｝に対し、次のような基準パラメータが基地局により与えられることができる。１．ＣＳＩ−ＲＳ設定ナンバ＃ｘｉ、２．ＣＳＩ−ＲＳサブフレーム設定ナンバ＃ｙｉ、３．ＣＳＩ−ＲＳアンテナポートの個数Ｎｉ。
【０２０６】
この場合、仮想セルインデックスｖＩＤ（≧１イン整数）が
【化１】
0005698384.tif 000021
以上であり、
【化２】
0005698384.tif 000022
以下である場合（ここで、Ｎ０＝０）、インデックスｖＩＤを有する仮想セルは、ＣＳＩ−ＲＳ設定ナンバ＃ｘｉ、ＣＳＩ−ＲＳサブフレーム設定ナンバ＃ｙｉを使用しながら、以下の数式のようなＣＳＩ−ＲＳアンテナポートナンバを使用することができる。
【０２０７】
【数１６】
0005698384.tif 000023
【０２０８】
この方法は、特定基準パラメータによって、仮想セルが使用するＣＳＩ−ＲＳアンテナポートナンバを一つずつ順次増加させながら付与する方法である。このとき、端末は、各ＣＳＩ−ＲＳアンテナポートに対する（又は、一部ＣＳＩ−ＲＳアンテナポートに対する）フィードバックを基地局に提供することができる。一つのＣＳＩ−ＲＳ設定ナンバ下で最大ＣＳＩ−ＲＳアンテナポート数が８個であるため、この方法は、８個以上の仮想セルをサポートするために多重ＣＳＩ−ＲＳ設定ナンバを仮定する。
【０２０９】
前記基準パラメータは、マザーセルのパラメータと同じに又はマザーセルに従属的に規定されることができる。例えば、基準パラメータのうち一部パラメータは、マザーセルと同じに規定し、残りの基準パラメータの値は、マザーセルのＣＳＩ−ＲＳ設定ナンバ及び／又はＣＳＩ−ＲＳサブフレーム設定ナンバを基準に特定値ほど順次差があるように規定することができる。
【０２１０】
その場合、端末は、マザーセルのパラメータを取得すると同時に全ての基準パラメータを取得することができるため、基地局が端末に基準パラメータを明示的シグナリングにより知らせる必要がない。したがって、シグナリングオーバーヘッドが減るという長所がある。
【０２１１】
基準パラメータがマザーセルのパラメータをしたがう場合、マザーセルが使用するＣＳＩ−ＲＳの送信リソース要素は、仮想セルが使用しないように前記数式１６を変更することができる。例えば、マザーセルがアンテナポート＃１５を使用する場合、仮想セル＃ｖＩＤ∈｛１，２，．．．，Ｎｔ−１｝は、マザーセルと同じＣＳＩ−ＲＳ設定ナンバとＣＳＩ−ＲＳサブフレーム設定ナンバを使用し、アンテナポート＃１５は除いてアンテナポート＃（１５＋ｖＩＤ）を使用するように修正することができる。
【０２１２】
以下、仮想セルに既存のセルＩＤの範囲から外れたセルＩＤを割り当てる方法に対して説明する。
【０２１３】
仮想セルを含むシステムにおいて、レガシー端末は、仮想セルを利用した技術を具現することができない。したがって、仮想セルを認知する必要がない。例えば、ＬＴＥシステムの場合、全てのノードは、マザーセルＩＤに該当する同じＣＲＳを送信し、レガシー端末は、このようなＣＲＳを利用してチャネルを測定するため、仮想セルを認知することができない。
【０２１４】
改善された端末のために、基地局は、マザーセルＩＤにより生成されたＣＳＩ−ＲＳを全ての仮想セルで同時送信することで、仮想セルを認知不可能にすることができる。または、改善された端末のために各仮想セルで自分の仮想セルＩＤにより生成されたＲＳ（例えば、ＣＳＩ−ＲＳ）を送信することで、改善された端末が各々の仮想セルに対するチャネル測定を実行するようにすることもできる。このような特性により、仮想セルＩＤは、レガシー端末が使用しないセルＩＤを使用することができる。
【０２１５】
＜仮想セルのセルＩＤを割り当てる方法＞
【０２１６】
ＬＴＥの場合、セルＩＤの範囲は、０〜５０３の整数を使用し、ＩＥＥＥ  ８０２．１６では０〜７６７の整数を使用する。このような既存システムのセルＩＤ使用範囲を外れるセルＩＤを使用して仮想セル専用同期化信号を基地局が送信することができる。
【０２１７】
即ち、基地局は、仮想セル端末に仮想セルＩＤを伝達し、又は仮想セルに対するＣＱＩ、経路損失などの測定値のフィードバックを受けるために、各仮想セル別に同期化信号を送信することができる。このとき、既存システムのセルＩＤ使用範囲を外れるセルＩＤを使用して同期化信号を送信することができる。
【０２１８】
１．ＬＴＥの場合
【０２１９】
ＬＴＥにおいて、端末は、同期化信号を介してセルＩＤを取得する。例えば、ＮＩＤ（２）はプライマリ同期化信号（ＰＳＳ）を介して取得し、ＮＩＤ（１）はセコンダリ同期化信号（ＳＳＳ）を介して取得する。即ち、端末は、ＰＳＳを介してＮＩＤ（２）を取得した後、ＳＳＳを介してＮＩＤ（１）を取得して最終的なセルＩＤを取得する。
【０２２０】
このとき、仮想セルＩＤは、任意の０以上の整数Ｎ、Ｌに対し、Ｎ＋１６８≦ＮＩＤ（１）≦Ｎ＋Ｌ＋１６９の範囲を有するように規定することができる。その場合、仮想セルＩＤの範囲がＬにより決定されるため、シグナリングオーバーヘッドとセル検索オーバーヘッドを調節することができる。
【０２２１】
また、仮想セルＩＤは、ＮＩＤ（２）を特定値のみ有するように規定することができる。特定値は、予め決められた固定値、例えば、ＮＩＤ（２）＝０、又はマザーセルＩＤに従属的な値である。その場合、端末は、仮想セルを検索する時、ＰＳＳ検出を省略することができるという長所がある。反対に、基地局は、仮想セルに対する同期化信号を送信する時、ＳＳＳのみ仮想セル別に送信することができる。端末は、仮想セルのＮＩＤ（２）値をマザーセルＩＤから知ることができ、又は予め約束された値として知っているため、基地局が端末に別途のシグナリングをする必要がない。したがって、仮想セル別にＰＳＳを送信する必要がない。
【０２２２】
２．ＬＴＥ＆ＩＥＥＥ  ８０２．１６の場合。
【０２２３】
ＬＴＥのＰＳＳにより伝達されるＮＩＤ（２）は、情報量側面で２ビットを有し、現在０、１、２のみ使用し、３という値は使用していない。即ち、０、１、２うちいずれか一つの値のみを伝達する。したがって、仮想セルＩＤは、ＮＩＤ（２）＝３を有するように規定することができる。ＩＥＥＥ  ８０２．１６の場合、セルＩＤは、２５６ｎ＋Ｉｄｘにより求めることができる。このとき、仮想セルは、ｎ＝３を使用するように規定することができる。
【０２２４】
その場合、端末は、仮想セルＩＤの範囲が減るようになるため、低いシグナリングオーバーヘッドとセル検索オーバーヘッドを得ることができる。また、仮想セルとマザーセルが送信されるＰＳＳ間の干渉を直交シーケンスにより制御することができるため、仮想セル特定的なＰＳＳを送信することができる。仮想セル特定的なＰＳＳは、仮想セルの距離が遠い場合、端末同期の正確度を高めるために提供されることができる。
【０２２５】
また、端末が仮想セルと非仮想セル（これを一般セルという）をＰＳＳのみで容易に区分することができるという長所もある。即ち、仮想セルが一般セルと区別される同期化信号を送信する場合、端末は、例えば、ＰＳＳを取得した後、該当セルが仮想セルであるか、一般セルであるかを容易に区分することができる。たとえ、仮想セル毎に同期化信号を送信する場合でないとして、仮想セル毎に区分される参照信号が存在する場合、端末は、参照信号を利用して仮想セルであるか、一般セルであるかを区分することができる。
【０２２６】
仮想セルに対して仮想セルＩＤをＮＩＤ（２）＝３と規定する場合、セルＩＤを構成する規則は変更されることができる。例えば、ＮＩＤ（２）が０〜２の値を有する場合、ＮＩＤｃｅｌｌ＝３ＮＩＤ（１）＋ＮＩＤ（２）であるが、ＮＩＤ（２）が０〜３うちいずれか一つの値を有する場合にはＮＩＤｃｅｌｌ＝４ＮＩＤ（１）＋ＮＩＤ（２）のように変更されることができる。このように直接的な変更方法は、仮想セルＩＤの範囲が既存セルＩＤの範囲とオーバーラップされる範囲が発生することができる。したがって、仮想セルＩＤの範囲を既存セルＩＤの範囲とオーバーラップされないように設定することができる。例えば、仮想セルＩＤを以下の数式のような範囲に決定することができる。
【０２２７】
【数１７】
0005698384.tif 000024
【０２２８】
前記数式１７において、仮想セルが５０４〜６７１のうちいずれか一つの値を有することができる。この場合、シグナリングオーバーヘッドを調節するために、ＮＩＤ（２）＝３である場合に限ってＮＩＤ（１）の範囲を既存の範囲、即ち、０〜１６７と異なるように設定することもできる。
【０２２９】
数式１７を参考して説明した方法は、ＩＥＥＥ  ８０２．１６にも同様に適用することができる。ＩＥＥＥ  ８０２．１６において、仮想セルＩＤは、ｎ（セグメントＩＤ）が３を有するように規定する。ＬＴＥと違ってＩＥＥＥ８０２．１６ではセルＩＤが２５６ｎ＋Ｉｄｘ形態で構成されるため、セルＩＤのマッピング方法を新たに規定する必要がない。その理由は、仮想セルＩＤの範囲が既存セルＩＤの範囲を外れるためである。この場合にもｎ＝３である場合に限ってＩｄｘの範囲を既存の範囲（即ち、０〜２５５ｎｏうちいずれか一つの値）と異なるように設定してシグナリングオーバーヘッドを減らすことができる。
【０２３０】
図２０は、基地局及び端末を示すブロック図である。
【０２３１】
基地局１００は、プロセッサ（ｐｒｏｃｅｓｓｏｒ）１１０、メモリ（ｍｅｍｏｒｙ）１２０、及びＲＦ部（ＲＦ（ｒａｄｉｏ  ｆｒｅｑｕｅｎｃｙ）  ｕｎｉｔ）１３０を含む。プロセッサ１１０は、提案された機能、過程及び／又は方法を具現する。即ち、端末に基準パラメータを送信し、各ノードでノード特定的な信号、即ち、仮想セル特定的信号を送信するように制御する。メモリ１２０は、プロセッサ１１０と連結され、プロセッサ１１０を駆動するための多様な情報を格納する。ＲＦ部１３０は、プロセッサ１１０と連結され、無線信号を送信及び／又は受信する。ＲＦ部１３０は、有線で基地局１００に連結された複数のノードで構成されることができる。
【０２３２】
端末２００は、プロセッサ２１０、メモリ２２０、及びＲＦ部２３０を含む。プロセッサ２１０は、基地局から基準パラメータを受信し、複数のノードのうち少なくとも一つのノードからノード特定的な信号を受信する。ノード特定的な信号は、前述した仮想セル特定的信号、例えば、仮想セル別に区分されるＣＳＩ−ＲＳである。ノード特定的な信号のデコーディングに必要な仮想セルパラメータは、基準パラメータに基づいて決定する。メモリ２２０は、プロセッサ２１０と連結され、プロセッサ２１０を駆動するための多様な情報を格納する。ＲＦ部２３０は、プロセッサ２１０と連結され、無線信号を送信及び／又は受信する。
【０２３３】
プロセッサ１１０、２１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、データ処理装置及び／又はベースバンド信号及び無線信号を相互変換する変換器を含むことができる。メモリ１２０、２２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／又は他の格納装置を含むことができる。ＲＦ部１３０、２３０は、無線信号を送信及び／又は受信する一つ以上のアンテナを含むことができる。実施例がソフトウェアで具現される時、前述した技法は、前述した機能を遂行するモジュール（過程、機能など）で具現されることができる。モジュールは、メモリ１２０、２２０に格納され、プロセッサ１１０、２１０により実行されることができる。メモリ１２０、２２０は、プロセッサ１１０、２１０の内部又は外部にあり、よく知られた多様な手段でプロセッサ１１０、２１０と連結されることができる。
【０２３４】
本発明は、ハードウェア、ソフトウェア又はこれらの組合せで具現されることができる。ハードウェア具現において、前述した機能を遂行するためにデザインされたＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＤＳＰ（ｄｉｇｉｔａｌ  ｓｉｇｎａｌ  ｐｒｏｃｅｓｓｉｎｇ）、ＰＬＤ（ｐｒｏｇｒａｍｍａｂｌｅ  ｌｏｇｉｃ  ｄｅｖｉｃｅ）、ＦＰＧＡ（ｆｉｅｌｄ  ｐｒｏｇｒａｍｍａｂｌｅ  ｇａｔｅ  ａｒｒａｙ）、プロセッサ、制御器、マイクロプロセッサ、他の電子ユニット又はこれらの組合せで具現されることができる。ソフトウェア具現において、前述した機能を遂行するモジュールで具現されることができる。ソフトウェアは、メモリユニットに格納されることができ、プロセッサにより実行される。メモリユニットやプロセッサは、当業者によく知られた多様な手段を採用することができる。
【０２３５】
以上、本発明に対して実施例を参照して説明したが、該当技術分野の通常の知識を有する者は、本発明の技術的思想及び領域から外れない範囲内で本発明を多様に修正及び変更させて実施可能であることを理解することができる。従って、本発明は、前述した実施例に限定されるものではなく、特許請求の範囲内の全ての実施例を含む。
【図１】
0005698384.tif 000025
【図２】
0005698384.tif 000026
【図３】
0005698384.tif 000027
【図４】
0005698384.tif 000028
【図５】
0005698384.tif 000029
【図６】
0005698384.tif 000030
【図７】
0005698384.tif 000031
【図８】
0005698384.tif 000032
【図９】
0005698384.tif 000033
【図１０】
0005698384.tif 000034
【図１１】
0005698384.tif 000035
【図１２】
0005698384.tif 000036
【図１３】
0005698384.tif 000037
【図１４】
0005698384.tif 000038
【図１５】
0005698384.tif 000039
【図１６】
0005698384.tif 000040
【図１７】
0005698384.tif 000041
【図１８】
0005698384.tif 000042
【図１９】
0005698384.tif 000043
【図２０】
0005698384.tif 000044